(57)【特許請求の範囲】
【請求項１】
基地局グループにおける各基地局がそれぞれ自身を第一基地局に確定し、
前記基地局グループにおける第一基地局について、当該基地局グループにおける当該第一基地局を除く他の基地局は、それぞれ当該第一基地局のキャリア周波数で補助検出シグナルを送信し、
前記基地局グループは、一つの基地局、並びに前記一つの基地局カバー範囲でのフェムト基地局、ピコ基地局、及び／又はマイクロ基地局を含み、
前記キャリア周波数は、前記第一基地局が稼動する一つ又は複数のキャリア周波数を含み、
前記一つの基地局カバー範囲でのフェムト基地局、ピコ基地局、及び／又はマイクロ基地局が送信した前記補助検出シグナルに携帯された内容は、当該基地局のパイロットシーケンス、タイプ、インデックス番号、端末に対するアクセス制限条件、サービスを提供することができるかどうかの指示情報、より多い端末のアクセスを許可するかどうかの指示情報の一つ又はそれらのいずれの組み合わせをも含み、
前記一つの基地局カバー範囲でのフェムト基地局、ピコ基地局、及び／又はマイクロ基地局が前記一つの基地局の前記キャリア周波数で前記補助検出シグナルを送信することが占有した時間周波数リソースは、全部同じであり、又は一部同じであり、又はまったく異なる
ことを特徴とする補助検出シグナルの送信方法。
【請求項２】
補助検出シグナルを送信する時間周波数リソースの位置は、
標準的なデフォルトにより配置されること、
前記第一基地局により確定されること、
前記第一基地局と前記他の基地局が協議することによって確定されること、
前記基地局グループにおける基地局の上層ネットワーク要素により確定されること、
前記上層ネットワーク要素と前記第一基地局が協議することによって確定されること、
前記上層ネットワーク要素、前記第一基地局及び前記他の基地局が共に協議することのいずれか一つの構成によって確定されることを特徴とする請求項１に記載の方法。
【請求項３】
前記上層ネットワーク要素は、基地局コントローラ、アクセスサービスネットワーク、接続サービスネットワーク、コアネットワークゲートウェイの一つを含めることを特徴とする請求項２に記載の方法。
【請求項４】
前記補助検出シグナルを送信した後、
前記第一基地局は、事前に設定されたユニキャスト、マルチキャスト又はブロードキャストの一つを含める方式で端末へ前記時間周波数リソースの位置情報を送信することをさらに含めることを特徴とする請求項２に記載の方法。
【請求項５】
前第一基地局が前記端末へ前記位置情報を送信する前に、
前記上層ネットワーク要素は、前記第一基地局へ前記位置情報を送信することをさらに含めることを特徴とする請求項４に記載の方法。
【請求項６】
前記時間周波数リソースは、ダウンリンクサブフレーム、或いは、アップリンクサブフレームとダウンリンクサブフレームの転換間隔に位置することを特徴とする請求項２に記載の方法。
【請求項７】
前記補助検出シグナルは、端末と約束したシグナルフォーマットで送信されて、また前記補助検出シグナルに携帯される内容が前記端末と約束した内容であることを特徴とする請求項１に記載の方法。
【請求項８】
前記制限条件は、前記基地局がアクセスを許可する端末のタイプ、及び／又はアクセスを許可する端末識別子、及び／又はアクセスを許可する端末グループ識別子を含めることを特徴とする請求項１に記載の方法。
【請求項９】
前記他の基地局が前記第一基地局の前記キャリア周波数で前記補助検出シグナルを送信することが占有した時間周波数リソースは、同じであって、また各基地局から送信された補助検出シグナルが互いに直交又は準直交するコードワードシーケンスであることを特徴とする請求項１に記載の方法。
【請求項１０】
前記他の基地局が前記第一基地局の前記キャリア周波数で前記補助検出シグナルを送信することが占有した時間周波数リソースブロックは、同じであって、また各基地局から送信された補助検出シグナルが事前に設定された互いに直交又は準直交するコードワードシーケンスをスペクトラム拡散コードとして事前に設定された情報をスペクトラム拡散して生成したシグナルであることを特徴とする請求項１に記載の方法。
【請求項１１】
前記補助検出シグナルを送信した後、
端末は、前記他の基地局から送信された全て又は一部の補助検出シグナルを受信することをさらに含めることを特徴とする請求項１に記載の方法。
【請求項１２】
前記端末が前記全て又は一部の補助検出シグナルを受信した後、
前記端末は、受信された前記全て又は一部の補助検出シグナルによって、切換のターゲット基地局を確定することをさらに含めることを特徴とする請求項１１に記載の方法。
【請求項１３】
前記端末が前記全て又は一部の補助検出シグナルを受信した後、
前記端末は、受信された前記全て又は一部の補助検出シグナルによって、情報を取得する必要があるターゲット基地局を確定し、
前記端末は、現行のサービス基地局へリクエストを送信して、前記ターゲット基地局の関連情報をリクエストすることをさらに含めることを特徴とする請求項１１に記載の方法。
【請求項１４】
基地局グループにおける基地局は、共有キャリア周波数で補助検出シグナルを送信し、
前記基地局グループは、一つの基地局、並びに前記一つの基地局カバー範囲でのフェムト基地局、ピコ基地局、及び／又はマイクロ基地局を含み、
前記共有キャリア周波数は、前記基地局グループにおける基地局がシグナルを送信することができる一つ又は複数のキャリア周波数を含み、
前記一つの基地局カバー範囲でのフェムト基地局、ピコ基地局、及び／又はマイクロ基地局が同一の共有キャリア周波数で補助検出シグナルを送信することが占有した時間周波数リソースは、全部同じであり、又は一部同じであり、又はまったく異なる
ことを特徴とする補助検出シグナルの送信方法。
【請求項１５】
基地局グループにおける基地局がそれぞれ前記補助検出シグナルを送信する時間周波数リソースの位置情報は、
標準的なデフォルトにより配置されること、
前記補助検出シグナルを送信する基地局により確定されること、
前記基地局グループにおける基地局の上層ネットワーク要素により確定されること、
前記上層ネットワーク要素と前記補助検出シグナルを送信する基地局が協議することのいずれか一つによって確定されることを特徴とする請求項１４に記載の補助検出シグナルの送信方法。
【請求項１６】
前記上層ネットワーク要素は、基地局コントローラ、アクセスサービスネットワーク、接続サービスネットワーク、コアネットワークゲートウェイの一つを含めることを特徴とする請求項１５に記載の方法。
【請求項１７】
前記基地局が前記補助検出シグナルを送信した後
前記基地局は、事前に設定されたユニキャスト、マルチキャスト又はブロードキャストの一つを含める方式で前記共有キャリア周波数の情報を送信することをさらに含めることを特徴とする請求項１５に記載の方法。
【請求項１８】
前記基地局が前記共有キャリア周波数の情報を送信する前に、
前記上層ネットワーク要素は、前記基地局へ前記共有キャリア周波数の情報を送信することをさらに含めることを特徴とする請求項１７に記載の方法。
【請求項１９】
前記時間周波数リソースは、ダウンリンクサブフレーム、或いは、アップリンクサブフレームとダウンリンクサブフレームの転換間隔に位置することを特徴とする請求項１５に記載の方法。
【請求項２０】
前記補助検出シグナルは、端末と約束したシグナルフォーマットで送信されて、また前記補助検出シグナルに携帯された内容が前記端末と約束した内容であることを特徴とする請求項１４に記載の方法。
【請求項２１】
前記補助検出シグナルに携帯された内容は、前記基地局のパイロットシーケンス、タイプ、インデックス番号、端末に対するアクセス制限条件、サービスを提供することができるかの指示情報、より多い端末のアクセスを許可するかどうかの指示情報の一つ又はそれらのいずれの組み合わせをも含めることを特徴とする請求項１４に記載の方法。
【請求項２２】
前記制限条件は、前記基地局がアクセスを許可する端末のタイプ、及び／又はアクセスを許可する端末識別子、及び／又はアクセスを許可する端末グループ識別子を含めることを特徴とする請求項２１に記載の方法。
【請求項２３】
前記基地局グループにおける基地局が同一の共有キャリア周波数で前記補助検出シグナルを送信することが占有した時間周波数リソースは、同じであって、また各基地局から送信された補助検出シグナルが互いに直交又は準直交するコードワードシーケンスであることを特徴とする請求項１４に記載の方法。
【請求項２４】
前記基地局グループにおける基地局が同一の共有キャリア周波数で補助検出シグナルを送信することが占有した時間周波数リソースは、同じであって、また各基地局から送信された補助検出シグナルが事前に設定された互いに直交又は準直交するコードワードシーケンスをスペクトラム拡散コードとして事前に設定された情報をスペクトラム拡散して生成したシグナルであることを特徴とする請求項１４に記載の方法。
【請求項２５】
前記補助検出シグナルを送信した後、
基地局グループに所属する端末は、前記共有キャリア周波数で補助検出シグナルを受信することをさらに含めることを特徴とする請求項１４に記載の方法。
【請求項２６】
前記端末が前記共有キャリア周波数で補助検出シグナルを受信した後、
前記端末は、受信された前記補助検出シグナルによって、切換のターゲット基地局を確定することをさらに含めることを特徴とする請求項２５に記載の方法。
【請求項２７】
前記端末が前記共有キャリア周波数で補助検出シグナルを受信した後、
前記端末は、受信された前記補助検出シグナルによって、情報を取得する必要があるターゲット基地局を確定し、
前記端末は、現行のサービス基地局へリクエストを送信して、前記ターゲット基地局の関連情報をリクエストすることをさらに含めることを特徴とする請求項２５に記載の方法。
【発明の詳細な説明】
【技術分野】
【０００１】
本発明は、移動通信技術分野に関して、特に無線通信システムにおける補助検出シグナルの送信方法に関する。
【背景技術】
【０００２】
無線通信システムにおいて、基地局とは、端末へサービスを提供する設備であって、アップ・ダウンリンクより端末と通信を行って、ダウンリンク（ＤｏｗｎＬｉｎｋ、ＤＬ）が、基地局から端末への方向であって、フォワードリンクとも呼ばれて、アップリンクリンク（ＵｐＬｉｎｋ、ＵＬ）が、端末から基地局への方向であって、リバースリンクとも呼ばれる。複数の端末は、同時にアップリンクより基地局へデータを送信することができ、ダウンリンクより同時に基地局からデータを受信することもできる。
【０００３】
モバイルネットワークにおける無線カバレッジ品質は、端末が高速データ、音声及びビデオサービスを共有する肝心な点である。現在、ワイヤレスネットワークのシームレスなカバレッジを実現するために、室内、関心区域のカバレッジ問題を重点的に解決する必要がある。現在、前記問題を解決する方案は、主に種類が二つあって、一つがマクロ基地局（ＭａｃｒｏＢａｓｅ Ｓｔａｔｉｏｎ、ＭａｃｒｏＢＳ）の数量と密度を増やすことであって、Ｍａｃｒｏ ＢＳがＭａｃｒｏ Ｃｅｌｌとも呼ばれて、もう一つが室内に家庭用基地局（ＦｅｍｔｏＢＳ又はＦｅｍｔｏ Ｃｅｌｌ）、マイクロ基地局（Ｍｉｃｒｏ ＢＳ又はＭｉｃｒｏＣｅｌｌ）及びピコ基地局（Ｐｉｃｏ ＢＳ又はＰｉｃｏ Ｃｅｌｌ）などの発信パワーのより低いマイクロ基地局を導入することである。家庭用基地局は、個人基地局とも呼ばれる。
【０００４】
Ｓｈａｎｎｏｎ法則によって、現在、採用された伝統的なマクロ基地局がすでにスペクトル使用の容量限界に近づいたため、パワーがより大きいマクロ基地局の数をさらに増やすと、放射による害が増加することになり、室内カバレッジを改善できないが、しかし、ＦｅｍｔｏＢＳ、Ｐｉｃｏ ＢＳなどのマイクロ基地局を利用すると、室内、関心区域のカバレッジを完全に実現するのみではなく、従来のスペクトルリソースで、システム容量をより大きくすることができる。
【０００５】
Ｆｅｍｔｏ ＢＳは、すべてのユーザーへサービスを提供することができ、一組の特定の許可ユーザーへサービスを提供することもできる。信号の減衰、干渉の影響又はより高いサービス品質（Ｑｕａｌｉｔｙｏｆ Ｓｅｒｖｉｃｅ、ＱｏＳ）に対する要求などの原因のため、モバイルステーション（ＭｏｂｉｌＳｔａｔｉｏｎ、ＭＳ）は、一つの基地局（サービス基地局と呼ばれる）のエアインターフェース（ＡｉｒＩｎｔｅｒｆａｃｅ）からもう一つの基地局（ターゲット基地局と呼ばれる）のエアインターフェースに移動する可能性があって、これが切換という過程である。一つのシステムにはＭａｃｒｏＢＳもＦｅｍｔｏ ＢＳ、Ｐｉｃｏ ＢＳも存在する時に、端末は、ＭａｃｒｏＢＳ、Ｆｅｍｔｏ ＢＳ、Ｐｉｃｏ ＢＳの間に切換を行う可能性がある。現在、主に切換方式が二つあって、一つがＭａｃｒｏＢＳによって隣エリアセルリスト情報（当該情報がＭａｃｒｏ ＢＳに近くに、利用でき、BSに関連する基本情報を示す）を放送して、ＭＳが当該隣エリアセルを含めるリスト情報によって、当該隣エリアセルを含めるリストに記録されたＢＳを検索して、切換を行って、このような切換方法によるシグナルのオーバーヘッドがかなり大きい、またＭＳが隣エリアセルリスト情報によってたくさんのＦｅｍｔｏＢＳ、Ｐｉｃｏ ＢＳを検索する可能性があるが、またこれらの基地局が当該ＭＳに対して適合ではないかもしれない、もう一つがＭＳによって自動的に切換に適合するＦｅｍｔｏＢＳ、Ｐｉｃｏ ＢＳを検索することであって、ＦｅｍｔｏＢＳ、Ｐｉｃｏ ＢＳがＭａｃｒｏＢＳと異なるキャリア周波数で稼動して、また数が多い、当該方法を使用すると、ＭＳの検索複雑度を増やすうえで、また節電に不利になる。
【発明の概要】
【発明が解決しようとする課題】
【０００６】
本発明は、これに鑑みてなられるものであって、従来の技術においてＭＳがＭａｃｒｏＢＳ、Ｆｅｍｔｏ ＢＳ、Ｍｉｃｒｏ ＢＳ及びＰｉｃｏ ＢＳの間に切換る時にシグナルオーバーヘッドがより大きい及びＭＳ検索の複雑度がより高い問題を解決するように、補助検出シグナルの伝送方法を提供する。
【課題を解決するための手段】
【０００７】
補助検出シグナルの送信方法は、基地局グループにおける各基地局がそれぞれ自分自身を第一基地局に確定し、
前記基地局グループにおける第一基地局について、当該基地局グループにおける当該第一基地局を除く他の基地局がそれぞれ当該第一基地局のキャリア周波数で補助検出シグナルを送信することを含める。
【０００８】
前記基地局グループには、予定範囲での全て或いは一部の基地局を含める。
【０００９】
前記予定範囲での基地局は、
一つ又は複数の基地局及び前記一つ又は複数の基地局のカバー範囲での家庭用基地局、及び／又はマイクロ基地局、及び／又はピコ基地局、又は、全て又は一部の使用可能のキャリア周波数リソースで稼動する家庭用基地局、マイクロ基地局、ピコ基地局或いはマクロ基地局を含める複数の基地局を含める。
【００１０】
前記キャリア周波数は、前記第一基地局で稼動する一つ又は複数のキャリア周波数を含める。
【００１１】
前記補助検出シグナルの時間周波数リソースの位置は、以下のいずれの方式で確定できることであって、
標準的なデフォルトにより配置されたり、
前記第一基地局により確定されたり、
前記第一基地局と前記他の基地局が協議して確定されたり、
前記基地局グループにおける基地局の上層ネット要素より確定されたり、
前記上層ネット要素と前記第一基地局が協議して確定されたり、
前記上層ネット要素、前記第一基地局及び前記他の基地局が共に協議して確定される。
【００１２】
前記上層ネット要素には、基地局コントローラ、アクセスサービスネットワーク、接続サービスネットワーク、コアネットワークゲートウェイの一つを含める。
【００１３】
前記補助検出シグナルを送信した後、前記方法には、
さらに、前記第一基地局は、事前に設定されたユニキャスト、マルチキャスト又はブロードキャストの一つを含める方式で端末へ前記時間周波数リソースの位置情報を送信することを含める。
【００１４】
前記第一基地局が前記端末へ前記位置情報を送信する前に、前記方法には、
さらに、前記上層ネット要素は、前記第一基地局へ前記位置情報を送信することを含める。
【００１５】
前記時間周波数リソースは、ダウンリンクサブフレーム、あるいは、アップリンクサブフレームとダウンリンクサブフレームの転換間隔に位置する。
【００１６】
前記補助検出シグナルは、端末と約束したシグナルフォーマットで送信して、また前記補助検出シグナルが携帯する内容が前記端末と約束した内容である。
【００１７】
前記他の基地局における一つの基地局から送信された前記補助検出シグナルに携帯された内容は、当該基地局のパイロットシーケンス、当該基地局の同期チャネル、当該基地局のタイプ、当該基地局のインデックス番号、当該基地局が端末に対するアクセス制限条件、当該基地局がサービスを提供することができるかどうかの指示情報、当該基地局がより多い端末がアクセスすることを許可するかどうかの指示情報のいずれかの一つ又はそれらのいずれの組み合わせをも含める。
【００１８】
前記制限条件は、前記基地局がアクセスを許可する端末のタイプ、及び／又はアクセスを許可する端末識別子、及び／又はアクセスを許可する端末グループ識別子を含める。
【００１９】
前記他の基地局が前記第一基地局の前記キャリア周波数で前記補助検出シグナルを送信することが占有した時間周波数リソースは、全てあるいははい一部が同じで、或いは、完全に異なる。
【００２０】
前記他の基地局が前記第一基地局の前記キャリア周波数で前記補助検出シグナルを送信することが占有しれた時間周波数リソースは、同じで、また、各基地局から送信された補助検出シグナルが互いに直交又は準直交するコードワードシーケンスである。
【００２１】
前記他の基地局が前記第一基地局の前記キャリア周波数で前記補助検出シグナルを送信することが占有した時間周波数リソースブロックは、同じで、また、各基地局から送信された補助検出シグナルが事前に設定された互いに直交又は準直交するコードワードシーケンスをスペクトラム拡散コードとして事前に設定された情報をスペクトラム拡散して生成したシグナルである。
【００２２】
前記補助検出シグナルを送信した後、前記方法には、
さらに、端末が、前記他の基地局から送信された全て又は一部の補助検出シグナルを受信することを含める。
【００２３】
前記端末が前記全て又は一部の補助検出シグナルを受信した後、前記方法には、
また、前記端末は、受信された前記全て又は一部の補助検出シグナルにより、切換るターゲット基地局を確定することを含める。
【００２４】
前記端末が前記全て又は一部の補助検出シグナルを受信した後、前記方法には、
また、前記端末は、受信された前記全て又は一部の補助検出シグナルにより、情報を取得する必要があるターゲット基地局を確定し、
さらに、前記端末は、現行のサービス基地局へリクエストを送信して、前記ターゲット基地局の関連情報をリクエストすることを含める。
【００２５】
補助検出シグナルの送信方法は、基地局グループにおける基地局に対して、前記基地局が共有キャリア周波数で補助検出シグナルを送信することを含める。
【００２６】
前記基地局グループは、予定範囲での全て又は一部の基地局を含める。
【００２７】
前記予定範囲での前記基地局は、一つ又は複数の基地局及び前記基地局カバー範囲での家庭用基地局、及び／又はマイクロ基地局、及び／又はピコ基地局、又は、全て又は一部の使用可能のキャリア周波数リソースで稼動する家庭用基地局、マイクロ基地局、ピコ基地局或いはマクロ基地局を含める複数の基地局を含める。
【００２８】
前記共有キャリア周波数は、前記基地局グループにおける基地局がシグナルを送信できる一つ又は複数のキャリア周波数を含める。
【００２９】
基地局グループにおける基地局がそれぞれ前記補助検出シグナルを送信する時間周波数リソースの位置情報は、以下のいずれの方式で確定できることであって、
標準的なデフォルトにより配置されたり、
前記補助検出シグナルを送信する基地局により確定されたり、
前記基地局グループにおける基地局の上層ネット要素により確定されたり、
前記上層ネット要素と前記補助検出シグナルを送信する基地局が協議して確定される。
【００３０】
前記上層ネットワーク要素は、基地局コントローラ、アクセスサービスネットワーク、接続サービスネットワーク、コアネットワークゲートウェイの一つを含める。
【００３１】
前記基地局が前記補助検出シグナルを送信した後、前記方法には、
また、前記基地局は、事前に設定されたユニキャスト、マルチキャスト又はブロードキャストの一つを含める方式で前記共有キャリア周波数の情報を送信することを含める。
【００３２】
前記基地局が前記共有キャリア周波数の情報を送信する前に、前記方法には、
また、前記上層ネットワーク要素は、前記基地局へ前記共有キャリア周波数の情報を送信することを含める。
【００３３】
前記時間周波数リソースは、ダウンリンクサブフレーム、又は、アップリンクサブフレームとダウンリンクサブフレームの転換間隔に位置する。
【００３４】
前記補助検出シグナルは、端末と約束したシグナルフォーマットで送信して、また前記補助検出シグナルが携帯する内容が前記端末と約束した内容である。
【００３５】
前記補助検出シグナルが携帯する内容は、
前記基地局のパイロットシーケンス、
前記基地局の同期シーケンス、
前記基地局のタイプ、
前記基地局のインデックス番号、
前記基地局が端末に対するアクセス制限条件、
前記基地局がサービスを提供することができるかどうかの指示情報、
前記基地局がより多い端末がアクセスすることを許可するかどうかの指示情報、
のいずれかの一つ又はそれらのいずれの組み合わせをも含める。
【００３６】
前記制限条件は、前記基地局がアクセスを許可する端末のタイプ、及び／又はアクセスを許可する端末識別子、及び／又はアクセスを許可する端末グループ識別子を含める。
【００３７】
前記基地局グループにおける基地局が同一の共有キャリア周波数で補助検出シグナルを送信することが占有した時間周波数リソースは、完全に同じで、或いは一部で同じで、或いは完全に異なる。
【００３８】
前記基地局グループにおける基地局が同一の共有キャリア周波数で前記補助検出シグナルを送信することが占有した時間周波数リソースは、同じで、また、各基地局から送信された補助検出シグナルが互いに直交又は準直交するコードワードシーケンスである。
【００３９】
前記基地局グループにおける基地局が同一の共有キャリア周波数で補助検出シグナルを送信することが占有した時間周波数リソースは、同じで、また、各基地局から送信された補助検出シグナルが事前に設定された互いに直交又は準直交するコードワードシーケンスをスペクトラム拡散コードとして事前に設定された情報をスペクトラム拡散して生成したシグナルである。
【００４０】
前記補助検出シグナルを送信した後、前記方法には、
また、基地局グループにおける端末は、前記共有キャリア周波数で補助検出シグナルを受信すること含める。
【００４１】
前記端末が前記共有キャリア周波数で補助検出シグナルを受信した後、前記方法には、
前記端末は、受信された前記補助検出シグナルにより、切換るターゲット基地局を確定することを含める。
【００４２】
前記端末が前記共有キャリア周波数で補助検出シグナルを受信した後、前記方法には、
また、前記端末は、受信された前記補助検出シグナルにより、情報を取得する必要があるターゲット基地局を確定し、
前記端末は、現行のサービス基地局へリクエストを送信して、前記ターゲット基地局の関連情報をリクエストすることを含める。
【００４３】
本発明の前記少なくても一つの方案によれば、無線通信ネットワークにおける各基地局が他の基地局で稼動キャリア周波数又は共有キャリア周波数で補助検出シグナルを送信することにより、ＭＳが一つのキャリア周波数を検索することだけで各基地局から送信された補助検出シグナルを取得することができるため、各基地局のチャネルに推定できることを実現して、またチャネルの推定結果によって切換を行って、従来の技術において切換る時に存在したシグナルオーバーヘッドがより大きい及びＭＳ検索の複雑度がより高い問題を解決した、シグナルオーバーヘッドを減少し、ＭＳ検索の複雑度を下げて、節電に有利になる。
【００４４】
本発明の他の特徴と利点は、後の明細書で説明して、また、一部的に明細書により明らかになる、又は、本発明を実施することにより了解できる。本発明の目的と他の利点は、記載された明細書、特許請求範囲及び附図の中に特別に示す構造で実現されて得られることが可能である。
【図面の簡単な説明】
【００４５】
【図１】本発明の実施例による補助検出シグナルの伝送方法のフローチャートである。
【図２】本発明の実施例による別の一つの補助検出シグナルの伝送方法のフローチャートである。
【図３】本発明の実施例における無線通信システムにおける基地局と端末の配布を示す図である。
【図４】実施例１における補助検出シグナルの送信方法を示す図である。
【図５】実施例２における補助検出シグナルの送信方法を示す図である。
【図６】実施例３における補助検出シグナルの送信方法を示す図である。
【図７】本発明の実施例における無線通信システムにおける別の一つの基地局と端末の配布を示す図である。
【図８】実施例４における補助検出シグナルの送信方法を示す図である。
【図９】実施例５における補助検出シグナルの送信方法を示す図である。
【図１０】実施例６における補助検出シグナルの送信方法を示す図である。
【図１１】実施例７における補助検出シグナルの送信方法を示す図である。
【図１２】実施例８における補助検出シグナルの送信方法を示す図である。
【図１３】実施例９における補助検出シグナルの送信方法を示す図である。
【図１４】実施例１０における補助検出シグナルの送信方法を示す図である。
【図１５】実施例１１における補助検出シグナルの送信方法を示す図である。
【図１６】実施例１２における補助検出シグナルの送信方法を示す図である。
【図１７】実施例１３における補助検出シグナルの送信と受信方法のフローチャートである。
【図１８】本発明の実施例における無線通信システムにおける別の一つの基地局と端末の配布を示す図である。
【図１９】実施例１４における補助検出シグナル送信と受信方法のフローチャートである。
【発明を実施するための形態】
【００４６】
本発明よる実施例は、従来の技術が無線通信システムに切換る時に存在するシグナルオーバーヘッドがより大きい及びＭＳ検索の複雑度がより高い問題について、補助検出シグナル送信の方案を提案する。本発明による実施例において、この方案は、実現態様が二つあって、一つの態様が予定範囲での基地局グループにおける各基地局に対して、当該基地局グループにおける他の基地局がそれぞれその稼動キャリア周波数で補助検出シグナルを送信するが、ＭＳが前記基地局グループにおける各基地局がその稼動キャリア周波数で送信した補助検出シグナルを取得して、このように各基地局の関連情報を取得することであって、もう一つの態様が予定範囲での基地局グループにおける各基地局が一つ又は複数の共有キャリア周波数で補助検出シグナルを送信し、ＭＳが一つ又は複数の共有キャリア周波数でスキャンして、基地局グループにおける各基地局から送信された補助検出シグナルを取得して、このように各基地局の関連情報を取得することである。
【００４７】
本発明による実施例において、前記予定範囲は、具体的な要求に応じて設置されることができ、例えば、当該予定範囲が、一つの基地局及び当該基地局カバー範囲での全てのＦｅｍｔｏＢＳ、Ｐｉｃｏ ＢＳ、ＭｉｃｒｏＢＳ、又は、当該予定範囲が現行の使用可能のキャリア周波数リソースで稼動する全ての基地局（ＦｅｍｔｏＢＳ、Ｐｉｃｏ ＢＳ、ＭｉｃｒｏＢＳを含める）を含めることである。
【００４８】
衝突しない場合では、本申請における実施例及び実施例における特徴は、相互に組み合わせることができる。
【００４９】
以下、附図によると、本発明の好適な実施例を説明する。ここで説明する好適な実施例は、本発明を説明し解釈するためだけであるが、本発明を限定することに用いられるものではないと理解すべきである。
【００５０】
理解の便利のために、以下、本発明の実施例による補助検出シグナルの送信と受信の方案の二つの実現態様をそれぞれ説明する。
【００５１】
本発明の実施例によると、まず補助検出シグナルの伝送方法が提供される。
【００５２】
図１は、本発明の実施例による補助検出シグナルの伝送方法のフローチャートである。図１に示すように、本発明の実施例による補助検出シグナルの伝送方法は、主に以下の処理（ステップＳ１０１-ステップＳ１０３）を含める。
【００５３】
ステップＳ１０１、当該予定範囲での一部或いは全ての基地局を含める基地局グループにおける各基地局に対して、当該基地局グループにおける他の基地局は、それぞれ当該基地局のキャリア周波数で補助検出シグナルを送信する。
【００５４】
ステップＳ１０３、ＭＳは、前記基地局グループにおける各基地局から送信された全ての又は一部の補助検出シグナルを受信する。
【００５５】
以下、さらに前記各処理の細い点を説明する。
【００５６】
説明の便利のために、以下の説明において、予定範囲でＡ、Ｂ、Ｃ及びＤの四つの基地局が含まれるが、本発明の実施例における基地局グループが当該予定範囲での全ての基地局が含まれ、その中に、Ａの稼動キャリア周波数がＦ１であって、Ｂの稼動キャリア周波数がＦ２であって、Ｃの稼動キャリア周波数がＦ３であって、Ｄの稼動キャリア周波数がＦ４であるとする。
【００５７】
（一）ステップＳ１０１
具体的な実施プロセスにおいて、前記Ａ、Ｂ、Ｃ及びＤの四つの基地局を含める基地局グループを例にして、基地局Ａには、Ｂ、Ｃ及びＤの三つの基地局は、それぞれ基地局Ａの稼動キャリア周波数Ｆ１で補助検出シグナルを送信し、基地局Ｂには、Ａ、Ｃ及びＤの三つの基地局は、それぞれ基地局Ｂの稼動キャリア周波数Ｆ２で補助検出シグナルを送信し、基地局Ｃには、Ａ、Ｂ及びＤの三つの基地局は、それぞれ基地局Ｃの稼動キャリア周波数Ｆ３で補助検出シグナルを送信し、基地局Ｄには、Ａ、Ｂ及びＣの三つの基地局は、それぞれ基地局Ｄの稼動キャリア周波数Ｆ４で補助検出シグナルを送信する。
【００５８】
具体的な実施プロセスにおいて、前記予定範囲での基地局は、現行の使用可能のキャリア周波数リソースで稼動する基地局であって、ＦｅｍｔｏＢＳ、Ｐｉｃｏ ＢＳ、ＭａｃｒｏＢＳ又はＭｉｃｒｏ ＢＳを含める。
【００５９】
具体的な実施プロセスにおいて、基地局が補助検出シグナルを送信する時間周波数リソースブロックの位置の確定方式は、以下のいくつかの種類を含めるが、それらに限られない。
【００６０】
（１）現行の基地局によって確定されることであって、前記Ａ、Ｂ、Ｃ及びＤの四つの基地局を含める予定範囲を例にして、基地局Ａには、Ｂ、Ｃ及びＤが補助検出シグナルを送信する時間周波数リソースブロックの位置が基地局Ａによって確定する。
【００６１】
（２）現行の基地局と補助検出シグナルを送信する基地局によって確定されることであって、前記Ａ、Ｂ、Ｃ及びＤの四つの基地局を含める予定範囲を例にして、基地局Ａには、基地局Ｂ、Ｃ、Ｄが基地局Ａのキャリア周波数Ｆ１で補助検出シグナルを送信する時間周波数リソースブロックの位置が基地局Ａと、基地局Ｂ、Ｃ及びＤが互いに協議することによって確定されることが可能である。
【００６２】
（３）基地局グループにおける基地局の上層ネット要素によって確定されることであって、
具体的な実施プロセスにおいて、上層ネットワーク要素が基地局コントローラ、アクセスサービスネットワーク、接続サービスネットワーク及びコアネットワークゲートウェイを含めるが、これらに限られない。
【００６３】
（４）上層ネットワーク要素と現行の基地局が協議確定されることであって、前記Ａ、Ｂ、Ｃ及びＤの四つの基地局を含める予定範囲を例にして、基地局Ａには、基地局Ｂ、Ｃ及びＤが補助検出シグナルを送信する時間周波数リソースブロックの位置が基地局Ａと上層ネットワーク要素が協議することによって確定される。
【００６４】
（５）上層ネットワーク要素、現行の基地局及び補助検出シグナルの送信が共に協議することによって確定されることであって、前記Ａ、Ｂ、Ｃ及びＤの四つの基地局を含める基地局グループを例にして、基地局Ａには、基地局Ｂ、Ｃ及びＤが基地局Ａのキャリア周波数Ｆ１で補助検出シグナルを送信する時間周波数リソースブロックの位置が基地局Ａ、基地局Ｂ、Ｃ、Ｄ及び上層ネットワーク要素が共に協議することによって確定されることが可能である。
【００６５】
（６）標準的なデフォルトによって配置される。
【００６６】
具体的な実施プロセスにおいて、事前に配置された標準によって、各基地局が補助検出シグナルを送信する時間周波数リソースブロックの位置を確定することもできる。
【００６７】
具体的な実施プロセスにおいて、前記時間周波数リソースブロックの位置の確定にはあるＭＳの現行のサービス基地局が参加しないと、当該サービス基地局は、他の基地局へリクエストを送信できて、当該時間周波数リソースブロックの位置情報を取得できて、後で当該位置情報をＭＳへ送信することである。又は、上層ネットワーク要素が時間周波数リソースブロックの位置を確定した後で、位置情報をＭＳのサービス基地局へ送信して、後でサービス基地局でＭＳへ送信して、ＭＳに前記共有稼動キャリア周波数で基地局グループにおける基地局が当該共有キャリア周波数で送信した補助検出シグナルをスキャンする。
【００６８】
具体的な実施プロセスにおいて、補助検出シグナルを送信する時間周波数リソースブロックは、ダウンリンクサブフレームに位置してもよいし、アップリンクサブフレームとダウンリンクサブフレームとの転換間隔に位置してもよい。
【００６９】
また、基地局グループにおける各基地局が送信した補助検出シグナルは、ＭＳにより約束されたシグナルフォーマットで送信することができて、また該当補助検出シグナルが携帯する内容も事前にＭＳと約束した内容である。
【００７０】
他に、基地局グループにおける各基地局が送信した補助検出シグナルは、具体的な内容を携帯してもいい、具体的には、以下の一つ又はそれらのいずれの組み合わせをも含めることができる。
【００７１】
（１）補助検出シグナルを送信する基地局のパイロットシーケンス、具体的に、前記Ａ、Ｂ、Ｃ及びＤの四つの基地局を含める基地局グループを例にして、基地局Ａには、基地局Ｂが基地局Ａのキャリア周波数Ｆ１で補助検出シグナルに携帯された内容を送信して基地局Ｂのパイロットシーケンスを含めるが、しかも基地局Ｃが基地局Ａのキャリア周波数Ｆ１で補助検出シグナルに携帯された内容を送信して基地局Ｃのパイロットシーケンスを含めて、同様に、基地局Ｄが基地局Ａのキャリア周波数Ｆ１で補助検出シグナルに携帯された内容を送信して基地局Ｄのパイロットシーケンスを含める。
【００７２】
（２）補助検出シグナルを送信する基地局のタイプ（ＦｅｍｔｏＢＳ又はＰｉｃｏ ＢＳ又はＭａｃｒｏ ＢＳ又はＭｉｃｒｏ ＢＳ）、具体的に、前記Ａ、Ｂ、Ｃ及びＤの四つの基地局を含める基地局グループを例にして、基地局Ａには、基地局Ｂが基地局Ａのキャリア周波数Ｆ１で補助検出シグナルに携帯された内容を送信して基地局Ｂのタイプを含めるが、基地局Ｃが基地局Ａのキャリア周波数Ｆ１で補助検出シグナルに携帯された内容を送信して基地局Ｃのタイプを含めて、同様に、基地局Ｄが基地局Ａのキャリア周波数Ｆ１で補助検出シグナルに携帯された内容を送信して基地局Ｄのタイプを含める。
【００７３】
具体的に、基地局のタイプとは、当該基地局がＦｅｍｔｏＢＳ、Ｐｉｃｏ ＢＳ、ＭａｃｒｏＢＳ又はＭｉｃｒｏ ＢＳであることである。
【００７４】
（３）補助検出シグナルを送信する基地局のインデックス番号（当該基地局のＣｅｌｌＩＤ、又はＢＳ ＩＤを含める）、具体的に、前記Ａ、Ｂ、Ｃ及びＤの四つの基地局を含める基地局グループを例にして、基地局Ａには、基地局Ｂが基地局Ａのキャリア周波数Ｆ１で補助検出シグナルに携帯された内容を送信して基地局ＢのＣｅｌｌＩＤ又はＢＳ ＩＤを含めるが、基地局Ｃが基地局Ａのキャリア周波数Ｆ１で補助検出シグナルに携帯された内容を送信して基地局ＣのＣｅｌｌＩＤ又はＢＳ ＩＤを含めて、同様に、基地局Ｄが基地局Ａのキャリア周波数Ｆ１で補助検出シグナルに携帯された内容を送信して基地局ＤのＣｅｌｌＩＤ又はＢＳ ＩＤを含める。
【００７５】
（４）補助検出シグナルを送信する基地局がアクセスのＭＳに対する制限条件、具体的に、当該制限条件が当該基地局がアクセスを許可するＭＳのタイプ（即ち、当該基地局が特殊タイプのＭＳのアクセスだけを許可するかどうか）、及び／又は、当該基地局がアクセスを許可するＭＳの識別子、及び／又は当該基地局がアクセスを許可する端末のグループ識別子を含めることができる。
【００７６】
（５）補助検出シグナルを送信する基地局がサービスを提供することができるかどうかの指示情報である。
【００７７】
（６）当該基地局がより多い端末のアクセスを許可するかどうかの指示情報。
【００７８】
補助検出シグナルが前記内容を携帯する場合で、予定範囲での各基地局が現行の基地局のキャリア周波数で補助検出シグナルを送信することが占有した時間周波数リソースは、全部或いは一部で同じであってもよい、或いは完全に異なってもよい、複数の基地局が補助検出シグナルを送信することが占有した時間周波数リソースが同じである時、ＭＳが異なる基地局から送信された補助検出シグナルを見分けやすいために、これらの基地局が当該時間周波数リソースで送信した補助検出シグナルが下記の一つのリクエストを満足する必要がある。
【００７９】
（１）各基地局が当該時間周波数リソースで送信した補助検出シグナルが互いに直交又は準直交するコードワードシーケンスである。
前記Ａ、Ｂ、Ｃ及びＤの四つの基地局を含める予定範囲を例にして、基地局Ａには、基地局Ｂ、Ｃ及びＤが基地局Ａのキャリア周波数Ｆ１で送信した補助検出シグナルが互いに直交又は準直交するコードワードシーケンスである。
【００８０】
（２）各基地局が当該時間周波数リソースで送信した補助検出シグナルが予定された互いに直交又は準直交するコードワードシーケンスをスペクトラム拡散コードとして事前に設定された情報に対してスペクトラム拡散して生成したシグナルである。前記予定された情報は、補助検出シグナルに携帯される内容、例えば、基地局のタイプ、インデックス番号などである。
【００８１】
（二）ステップＳ１０３
具体的な実施プロセスにおいて、ＭＳは、その現行のサービス基地局から前記基地局グループにおける各基地局が補助検出シグナルを送信する時間周波数リソースブロックの位置情報を取得すると、当該位置情報によってスキャンして、各基地局が当該共有キャリア周波数で送信した補助検出シグナルをデコードすることできる。
【００８２】
当該ＭＳは、前記位置情報を受信できなかったら、各基地局が当該キャリア周波数で送信した補助検出シグナルをスキャンできるまでに、当該ＭＳの稼動キャリア周波数でスキャンしている。
【００８３】
ＭＳは、前記基地局グループにおける各基地局がその稼動キャリア周波数で送信した補助検出シグナルを取得した後で、取得された各基地局の補助検出シグナルにより、切換を行うかどうかを確定して、切換を行うようにしたら、切換のターゲット基地局を確定して、切換のターゲット基地局を確定した後で、当該ＭＳが現行のサービス基地局へリクエストを送信して、当該ターゲット基地局の関連情報を取得し、切換を行うことができる。また、当該ＭＳは、取得された各基地局の補助検出シグナルにより、その中のある基地局の関連情報を取得する必要があるかどうかを確定することができ、ある基地局の関連情報を取得する必要があることを確定する時に、その現行のサービス基地局へリクエストを送信して、当該基地局の関連情報を取得することをリクエストすることができる。。
【００８４】
本発明の実施例に提供された前記補助検出シグナルの転送方法によって、ＭＳがその稼動キャリア周波数だけで検索して、検索の複雑度を下げることができる。
【００８５】
本発明の実施例によれば、もう一つの補助検出シグナルの伝送方法を提供する。
【００８６】
図２は、本発明の実施例によるもう一つの補助検出シグナルの伝送方法のフローチャートである。図２に示すように、当該伝送方法は、主に以下のステップ（ステップＳ２０１-ステップＳ２０３）を含める。
【００８７】
ステップＳ２０１、予定範囲での基地局グループにおける各基地局は、当該共有キャリア周波数で補助検出シグナルを送信する。
【００８８】
ステップＳ２０３、ＭＳは、前記共有キャリア周波数で当該基地局グループにおける各基地局から送信された補助検出シグナルを受信する。
【００８９】
以下、さらに前記各処理の詳細について説明する。
【００９０】
（一）ステップＳ２０１
本発明の実施例において、前記共有キャリア周波数は、現行の無線通信システムにおける全ての基地局（ＭａｃｒｏＢＳ及び／又はＦｅｍｔｏ ＢＳ及び／又はＰｉｃｏ ＢＳ及び／又はＭｉｃｒｏＢＳ）がシグナルを送信することができるキャリア周波数リソースであってもいいし、一組の基地局（ＭａｃｒｏＢＳ及び／又はＦｅｍｔｏ ＢＳ及び／又はＰｉｃｏ ＢＳ及び／又はＭｉｃｒｏＢＳ）がシグナルを送信することができるキャリア周波数リソースであってもいい。
【００９１】
具体的な実施プロセスにおいて、Ａ、Ｂ、Ｃ及びＤの四つの基地局を含める基地局グループを例にして、基地局Ａ、Ｂ、Ｃ及びＤの四つの基地局がそれぞれ一つ又は複数の共有キャリア周波数で補助検出シグナルを送信して、また、基地局Ａ、Ｂ、Ｃ及びＤの四つの基地局が複数の共有キャリア周波数（例えば、二つの共有キャリア周波数Ｆ１とＦ２）で補助検出シグナルを送信すると、その中の異なる基地局により異なる共有キャリア周波数を使用することができる（例えば、基地局Ａ、ＢがＦ１を使用して、基地局Ｃ、ＤがＦ２を使用する）。
【００９２】
そして、前記予定範囲での基地局は、現行の使用可能のキャリア周波数リソースで稼動する基地局であって、ＦｅｍｔｏＢＳ、Ｐｉｃｏ ＢＳ、ＭａｃｒｏＢＳ又はＭｉｃｒｏ ＢＳを含める。
【００９３】
具体的な実施プロセスにおいて、基地局が補助検出シグナルを送信する時間周波数リソースブロックの位置の確定方式は、下記のいくつかの種類を含めるが、それらに限られない。
【００９４】
（１）補助検出シグナルを送信する基地局により確定されることであって、前記Ａ、Ｂ、Ｃ及びＤの四つの基地局を含める予定範囲を例にして、基地局Ａが補助検出シグナルを送信する時間周波数リソースブロックの位置が基地局Ａにより確定してもいいし、基地局Ａ、Ｂ、Ｃ及びＤの四つの基地局が協議することによって確定される。
【００９５】
（２）予定範囲での基地局の上層ネットワーク要素により確定されることであって、具体的な実施プロセスにおいて、上層ネットワーク要素が基地局コントローラ、アクセスサービスネットワーク、接続サービスネットワーク及びコアネットワークゲートウェイを含めるが、これらに限られない。
【００９６】
（３）上層ネットワーク要素と補助検出シグナルを送信する基地局が協議することによって確定されることであって、前記Ａ、Ｂ、Ｃ及びＤの四つの基地局を含める予定範囲を例にして、基地局Ａが補助検出シグナルを送信する時間周波数リソースブロックの位置が基地局Ａと上層ネットワーク要素が協議することによって確定される、又は、基地局Ａ、Ｂ、Ｃ及びＤと上層ネットワーク要素により確定される。
【００９７】
（４）標準的なデフォルトによって配置される。
【００９８】
具体的な実施プロセスにおいて、前記時間周波数リソースブロックの位置の確定にＭＳの現行のサービス基地局が参加すると、当該サービス基地局が、時間周波数リソースブロックの位置を確定した後で、ユニキャスト、マルチキャスト又はブロードキャストの形式で共有キャリア周波数の情報をＭＳへ送信して、ＭＳが当該情報によって前記共有キャリア周波数でスキャンして、基地局グループにおける基地局が当該共有キャリア周波数で送信した補助検出シグナルを取得する。
【００９９】
前記時間周波数リソースブロックの位置の確定にＭＳの現行のサービス基地局が参加しないと、当該サービス基地局が他の基地局へリクエストを送信して、共有キャリア周波数の情報を取得して、その後当該情報をＭＳへ送信することができる。又は、上層ネットワーク要素が時間周波数リソースブロックの位置を確定した後で、共有キャリア周波数の情報をＭＳのサービス基地局へ送信して、後にサービス基地局によりＭＳへ送信して、ＭＳに前記共有稼動キャリア周波数で基地局グループにおける基地局が当該共有キャリア周波数で送信した補助検出シグナルをスキャンさせる。
【０１００】
具体的な実施プロセスにおいて、補助検出シグナルを送信する時間周波数リソースブロックは、ダウンリンクサブフレームに位置してもいいし、アップリンクサブフレームとダウンリンクサブフレームとの転換間隔に位置してもいい。
【０１０１】
また、基地局グループにおける各基地局が送信した補助検出シグナルは、ＭＳに約束されたシグナルフォーマットにより送信されることができ、また当該補助検出シグナルに携帯された内容も事前にＭＳと約束した内容である。
【０１０２】
他に、基地局グループにおける各基地局が送信した補助検出シグナルは、具体的な内容を携帯することができて、具体的に、以下の一つ又はそれらのいずれの組み合わせをも含めることができる。
【０１０３】
（１）補助検出シグナルを送信する基地局のパイロットシーケンス。
【０１０４】
（２）補助検出シグナルを送信する基地局のタイプ（ＦｅｍｔｏＢＳ又はＰｉｃｏ ＢＳ又はＭａｃｒｏ ＢＳ又はＭｉｃｒｏ ＢＳ）。
【０１０５】
（３）補助検出シグナルを送信する基地局のインデックス番号（当該基地局のＣｅｌｌＩＤ、又はＢＳ ＩＤを含める）。
【０１０６】
（４）補助検出シグナルを送信する基地局がアクセスされるＭＳに対する制限条件、具体的に、当該制限条件が、当該基地局がアクセスを許可するＭＳのタイプ（即ち、当該基地局が特別のタイプのＭＳのアクセスだけを許可するかどうか）、及び／又は、当該基地局がアクセスを許可するＭＳの数量を含めることができる。
【０１０７】
（５）補助検出シグナルを送信する基地局がサービスを提供することができるかどうかの指示情報。
【０１０８】
（６）補助検出シグナルを送信する基地局がより多い端末のアクセスを許可するかどうかの指示情報。
【０１０９】
補助検出シグナルが前記内容を携帯する場合で、基地局グループにおける各基地局が同一の共有キャリア周波数で補助検出シグナルを送信することが占有した時間周波数リソースは、完全に同じでもいいし、一部で同じでもいいし、完全に異なってもいい。複数の基地局が同一の共有キャリア周波数の同じ時間周波数リソースで補助検出シグナルを送信する時、ＭＳが異なる基地局から送信された補助検出シグナルを見分けやすいために、これらの基地局が当該の共有キャリア周波数の同じ時間周波数リソースで送信した補助検出シグナルには、以下の一つの要求を満足する必要がある。
【０１１０】
（１）各基地局が同一の共有キャリア周波数の同一時間周波数リソースで送信した補助検出シグナルは、互いに直交又は準直交するコードワードシーケンスである。
前記Ａ、Ｂ、Ｃ及びＤの四つの基地局を含める基地局グループを例にして、当該四つの基地局が全部で同一の共有キャリア周波数の同一スロットで送信すると、基地局Ａ、Ｂ、Ｃ及びＤから送信された補助検出シグナルは、互いに直交又は準直交するコードワードシーケンスである。
【０１１１】
（２）各基地局が同一の共有キャリア周波数の同一時間周波数リソースで送信した補助検出シグナルは、事前に設定された互いに直交又は準直交するコードワードシーケンスをスペクトラム拡散コードとして事前に設定された情報をスペクトラム拡散して生成したシグナルである。前記事前に設定された情報は、補助検出シグナルに携帯される必要がある内容、例えば、基地局のタイプ、インデックス番号などである。
【０１１２】
（二）ステップＳ２０３
具体的な実施プロセスにおいて、ＭＳは、その現行のサービス基地局から基地局グループにおける各基地局が補助検出シグナルを送信する共有キャリア周波数の情報を取得すると、当該情報によって一つ又は複数の共有キャリア周波数でスキャンして、各基地局が各共有キャリア周波数で送信した補助検出シグナルをデコードすることができる。
【０１１３】
ＭＳは、前記基地局グループにおける各基地局が各共有稼動キャリア周波数で送信した補助検出シグナルを取得した後で、取得された各基地局の補助検出シグナルにより、切換を行うかどうかを確定して、切換を行うようにしたら、切換のターゲット基地局を確定して、切換のターゲット基地局を確定した後で、その現行のサービス基地局へリクエストを送信して、当該ターゲット基地局の関連情報を取得し、切換を行うことができる。また、当該ＭＳは、取得された各基地局の補助検出シグナルにより、その中のある基地局の関連情報を取得する必要があるかどうかを確定することができて、ある基地局の関連情報を取得する必要があることを確定する時に、その現行のサービス基地局へリクエストを送信して、当該基地局の関連情報を取得することをリクエストすることができる。
【０１１４】
本発明の実施例に提供された前記補助検出シグナルの伝送方法によって、ＭＳが共有キャリア周波数だけで検索し、検索の複雑度を下げて、切換る時に使用されるシグナルを減少することができる。
【０１１５】
さらに本発明の実施例に提供される技術方案の具体的な実施形態を説明するために、以下、具体的な実施例で本発明の実施例に提供される技術方案を説明する。
【０１１６】
実施例１
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。
【０１１７】
当該無線通信システムにおいて、ＭａｃｒｏＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０１１８】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図４に示すように、Ｓ２１、Ｓ３１及びＳ４１がそれぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、Ｓ２１、Ｓ３１及びＳ４１がそれぞれ一組のパイロットシーケンスであって、また、Ｓ２１、Ｓ３１及びＳ４１が同じスロットＴ１を占有すると、Ｓ２１、Ｓ３１及びＳ４１が互いに直交する。
【０１１９】
Ｆｅｍｔｏ ＢＳ２における他の基地局が補助検出シグナルを送信することが占用したスロットがＴ２であって、ＦｅｍｔｏＢＳ３における他の基地局が補助検出シグナルを送信することが占用したスロットがＴ３であって、ＦｅｍｔｏＢＳ４における他の基地局が補助検出シグナルを送信することが占用したスロットがＴ４であって、Ｔ１、Ｔ２、Ｔ３及びＴ４が同じであってもいい、異なってもいい。
【０１２０】
本実施例において、Ｍａｃｒｏ ＢＳ１は、相応のシグナルによりＦ１キャリア周波数におけるスロットＴ１をスキャンして、補助検出シグナルをデコードして、補助検出シグナルにおけるパイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助検出シグナルＳ２１、Ｓ３１及びＳ４１をデコードすることによって、ＦｅｍｔｏＢＳ２を切換のターゲット基地局として確定する。端末ＭＳ１は、現行のサービス基地局ＭａｃｒｏＢＳ１によってＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１２１】
実施例２
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。
【０１２２】
本実施例において、Ｍａｃｒｏ ＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信して、ＦｅｍｔｏＢＳ４がＦ１、Ｆ２、Ｆ３キャリア周波数の適当なリソースブロックで補助検出シグナルを送信する。
【０１２３】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図５に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、Ｓ２１、Ｓ３１及びＳ４１が、それぞれ一組のパイロットシーケンスであって、また、Ｓ２１、Ｓ３１及びＳ４１がそれぞれ異なるスロットＴ２、Ｔ３及びＴ４を占有する。
【０１２４】
各基地局が他の基地局のキャリア周波数で送信した補助検出シグナルが占有したスロットリソースは、同じでもいいし、異なってもいい。
【０１２５】
本実施例において、Ｍａｃｒｏ ＢＳ１は、相応のシグナルによりＦ１キャリア周波数におけるスロットＴ２、Ｔ３及びＴ４をスキャンして、補助検出シグナルをデコードして、パイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助検出シグナルＳ２１、Ｓ３１及びＳ４１をデコードすることによって、ＦｅｍｔｏＢＳ２を切換のターゲット基地局として確定する。と端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１２６】
実施例３
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。
【０１２７】
本実施例において、Ｍａｃｒｏ ＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０１２８】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図６に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、Ｓ２１、Ｓ３１及びＳ４１が同じスロットＴ１を占有して、また、Ｓ２１、Ｓ３１及びＳ４１がそれぞれ事前に確定された一組の直交又は準直交コードサブシーケンスにおける一つのコードサブシーケンスである。
【０１２９】
Ｆｅｍｔｏ ＢＳ２における他の基地局が補助検出シグナルを送信することが占有したスロットがＴ２であって、ＦｅｍｔｏＢＳ３における他の基地局が補助検出シグナルを送信することが占有したスロットがＴ３であって、ＦｅｍｔｏＢＳ４における他の基地局が補助検出シグナルを送信することが占有したスロットがＴ４であって、Ｔ１、Ｔ２、Ｔ３及びＴ４が同じでもいいし、異なってもいい。
【０１３０】
本実施例において、Ｍａｃｒｏ ＢＳ１は、相応のシグナルによりＦ１キャリア周波数におけるスロットＴ１をスキャンして、補助検出シグナルをデコードするによってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助切換シグナルＳ２１、Ｓ３１及びＳ４１をデコードすることにより、ＦｅｍｔｏＢＳ２を切換のターゲット基地局に確定する。端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１３１】
実施例４
図７に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ２のサービス基地局がＭａｃｒｏ ＢＳ２である。
【０１３２】
本実施例において、各基地局は、本基地局の隣エリアセルリストに説明された基地局のキャリア周波数の適当なリソースブロックで補助検出シグナルを送信する。
【０１３３】
本実施例において、Ｍａｃｒｏ ＢＳ１の隣エリアセルリストにＦｅｍｔｏ ＢＳ２、Ｆｅｍｔｏ ＢＳ３、Ｆｅｍｔｏ ＢＳ４が含まれ、Ｆｅｍｔｏ ＢＳ２の隣エリアセルリストにＭａｃｒｏＢＳ１とＦｅｍｔｏ ＢＳ３が含まれ、Ｆｅｍｔｏ ＢＳ３の隣エリアセルリストにＭａｃｒｏＢＳ１とＦｅｍｔｏ ＢＳ２が含まれ、Ｆｅｍｔｏ ＢＳ４の隣エリアセルリストにＭａｃｒｏＢＳ１が含まれると、Ｍａｃｒｏ ＢＳ１がＦ２、Ｆ３、Ｆ４キャリア周波数の適当なリソースブロックで補助検出シグナルを送信し、ＦｅｍｔｏＢＳ２がＦ１、Ｆ３キャリア周波数の適当なリソースブロックで補助検出シグナルを送信し、ＦｅｍｔｏＢＳ３がＦ１、Ｆ２キャリア周波数の適当なリソースブロックで補助検出シグナルを送信し、ＦｅｍｔｏＢＳ４がＦ１キャリア周波数の適当なリソースブロックで補助検出シグナルを送信する。
【０１３４】
本実施例において、Ｆｅｍｔｏ ＢＳ２のキャリア周波数Ｆ２を例にして、Ｆｅｍｔｏ ＢＳ２が相応のシグナルによりＭａｃｒｏ ＢＳ１、Ｆｅｍｔｏ ＢＳ３がキャリア周波数Ｆ２で補助検出シグナルを送信するリソースブロックの位置情報を通知して、図８に示すように、Ｓ１２、Ｓ３２が、それぞれＭａｃｒｏＢＳ１、Ｆｅｍｔｏ ＢＳ３がキャリア周波数Ｆ２で送信した補助検出シグナルであって、Ｓ１２、Ｓ３２が同じスロットＴ２を占有して、Ｓ１２、Ｓ３２がそれぞれ一組のパイロットシーケンスであって、またＳ１２とＳ３２が互いに直交する。
【０１３５】
Ｍａｃｒｏ ＢＳ１における他の基地局が補助検出シグナルを送信することが占有したスロットがＴ１であって、ＦｅｍｔｏＢＳ３における他の基地局が補助検出シグナルを送信することが占有したスロットがＴ３であって、ＦｅｍｔｏＢＳ４におおける他の基地局が補助検出シグナルを送信することが占有したスロットがＴ４であって、Ｔ１、Ｔ２、Ｔ３及びＴ４が同じでもいいし、異なってもいい。 
【０１３６】
本実施例において、Ｆｅｍｔｏ ＢＳ２は、相応のシグナルによりＦ２キャリア周波数におけるスロットＴ２をスキャンして、補助検出シグナルをデコードして、パイロット情報によってチャネルの推定を行って、ＭａｃｒｏＢＳ１、Ｆｅｍｔｏ ＢＳ３のチャネルの品質が切換に適合するかどうかを評価することをＭＳ２に通知する。本実施例において端末ＭＳ２が補助検出シグナルＳ１２、Ｓ３２をデコードすることによって、ＭａｃｒｏＢＳ１を切換のターゲット基地局に確定すると、端末ＭＳ２は現行のサービス基地局ＦｅｍｔｏＢＳ２によりＭａｃｒｏ ＢＳ１の基本的な情報を取得して、切換操作を行っておく、或いは、直接にＭａｃｒｏ ＢＳ１のキャリア周波数Ｆ１をスキャンしてＭａｃｒｏ ＢＳ１の基本的な情報を取得して、切換操作を始動することができる。
【０１３７】
実施例５
図７に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ２のサービス基地局がＭａｃｒｏ ＢＳ２である。
【０１３８】
本実施例において、各基地局は、本基地局の隣エリアセルリストに説明された基地局のキャリア周波数の適当なリソースブロックで補助検出シグナルを送信する。
【０１３９】
本実施例において、Ｍａｃｒｏ ＢＳ１の隣エリアセルリストにＦｅｍｔｏ ＢＳ２、Ｆｅｍｔｏ ＢＳ３、Ｆｅｍｔｏ ＢＳ４が含まれ、Ｆｅｍｔｏ ＢＳ２の隣エリアセルリストにＭａｃｒｏＢＳ１とＦｅｍｔｏ ＢＳ３が含まれ、Ｆｅｍｔｏ ＢＳ３の隣エリアセルリストにＭａｃｒｏＢＳ１とＦｅｍｔｏ ＢＳ２が含まれ、Ｆｅｍｔｏ ＢＳ４の隣エリアセルリストにＭａｃｒｏＢＳ１が含まれると、Ｍａｃｒｏ ＢＳ１がＦ２、Ｆ３、Ｆ４キャリア周波数の適当なリソースブロックで補助検出シグナルを送信し、ＦｅｍｔｏＢＳ２がＦ１、Ｆ３キャリア周波数の適当なリソースブロックで補助検出シグナルを送信し、ＦｅｍｔｏＢＳ３がＦ１、Ｆ２キャリア周波数の適当なリソースブロックで補助検出シグナルを送信し、ＦｅｍｔｏＢＳ４がＦ１キャリア周波数の適当なリソースブロックで補助検出シグナルを送信する。
【０１４０】
本実施例において、Ｆｅｍｔｏ ＢＳ２のキャリア周波数Ｆ２を例にして、Ｆｅｍｔｏ ＢＳ２が相応のシグナルによりＭａｃｒｏ ＢＳ１、Ｆｅｍｔｏ ＢＳ３がキャリア周波数Ｆ２で補助検出シグナルを送信するリソースブロックの位置情報を通知して、図９に示すように、Ｓ１２、Ｓ３２が、それぞれＭａｃｒｏＢＳ１、Ｆｅｍｔｏ ＢＳ３がキャリア周波数Ｆ２で送信した補助検出シグナルであって、Ｓ１２、Ｓ３２がそれぞれ一組のパイロットシーケンスであって、またＳ１２、Ｓ３２がそれぞれ異なるスロットＴ１とＴ３を占有する。
【０１４１】
各基地局がその隣エリアセルリストに説明された基地局のキャリア周波数で送信した補助検出シグナルが占有したスロットリソースは、同じでもいいし、異なってもいい。
【０１４２】
本実施例において、Ｆｅｍｔｏ ＢＳ２は、相応のシグナルによりＦ２キャリア周波数におけるスロットＴ１とＴ３をスキャンして、補助検出シグナルをデコードして、パイロット情報によってチャネルの推定を行って、ＭａｃｒｏＢＳ１、Ｆｅｍｔｏ ＢＳ３のチャネルの品質が切換に適合するかどうかを評価することをＭＳ２に通知する。本実施例において端末ＭＳ２が補助検出シグナルＳ１２、Ｓ３２をデコードすることによって、ＭａｃｒｏＢＳ１を切換のターゲット基地局に確定すると、端末ＭＳ２は、現行のサービス基地局ＦｅｍｔｏＢＳ２によりＭａｃｒｏ ＢＳ１の基本的な情報を取得して、切換操作を行っておく、或いは、直接にＭａｃｒｏ ＢＳ１のキャリア周波数Ｆ１をスキャンしてＭａｃｒｏ ＢＳ１の基本的な情報を取得して、切換操作を始動することができる。
【０１４３】
実施例６
図７に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ２のサービス基地局がＭａｃｒｏ ＢＳ２である。
【０１４４】
本実施例において、基地局は、本基地局の隣エリアセルリストに説明された基地局のキャリア周波数の適当なリソースブロックで補助検出シグナルを送信する。
【０１４５】
本実施例において、Ｍａｃｒｏ ＢＳ１の隣エリアセルリストにＦｅｍｔｏ ＢＳ２、Ｆｅｍｔｏ ＢＳ３、Ｆｅｍｔｏ ＢＳ４が含まれ、Ｆｅｍｔｏ ＢＳ２の隣エリアセルリストにＭａｃｒｏＢＳ１とＦｅｍｔｏ ＢＳ３が含まれ、Ｆｅｍｔｏ ＢＳ３の隣エリアセルリストにＭａｃｒｏＢＳ１とＦｅｍｔｏ ＢＳ２が含まれ、Ｆｅｍｔｏ ＢＳ４の隣エリアセルリストにＭａｃｒｏＢＳ１が含まれると、Ｍａｃｒｏ ＢＳ１がＦ２、Ｆ３、Ｆ４キャリア周波数の適当なリソースブロックで補助検出シグナルを送信し、ＦｅｍｔｏＢＳ２がＦ１、Ｆ３キャリア周波数の適当なリソースブロックで補助検出シグナルを送信し、ＦｅｍｔｏＢＳ３がＦ１、Ｆ２キャリア周波数の適当なリソースブロックで補助検出シグナルを送信し、ＦｅｍｔｏＢＳ４がＦ１キャリア周波数の適当なリソースブロックで補助検出シグナルを送信する。
【０１４６】
本実施例において、Ｆｅｍｔｏ ＢＳ２のキャリア周波数Ｆ２を例にして、Ｆｅｍｔｏ ＢＳ２が相応のシグナルによりＭａｃｒｏ ＢＳ１、Ｆｅｍｔｏ ＢＳ３がキャリア周波数Ｆ２で補助検出シグナルを送信するリソースブロックの位置情報を通知して、図１０に示すように、Ｓ１２、Ｓ３２が、それぞれＭａｃｒｏＢＳ１、Ｆｅｍｔｏ ＢＳ３がキャリア周波数Ｆ２で送信した補助検出シグナルであって、Ｓ１２、Ｓ３２が同じスロットＴ２を占有して、またＳ１２、Ｓ３２がそれぞれ事前に確定された一組の直交又は準直交のコードサブシーケンスにおける一つのコードサブシーケンスである。
【０１４７】
Ｍａｃｒｏ ＢＳ１における他の基地局が補助検出シグナルを送信することが占有したスロットがＴ１であって、ＦｅｍｔｏＢＳ３における他の基地局が補助検出シグナルを送信することが占有したスロットがＴ３であって、ＦｅｍｔｏＢＳ４における他の基地局が補助検出シグナルを送信することが占有したスロットがＴ４であって、Ｔ１、Ｔ２、Ｔ３及びＴ４が同じでもいいし、異なってもいい。
【０１４８】
本実施例において、Ｆｅｍｔｏ ＢＳ２は、相応のシグナルによりＦ２キャリア周波数におけるスロットＴ２をスキャンして、補助検出シグナルをデコードすることによってＭａｃｒｏＢＳ１、Ｆｅｍｔｏ ＢＳ３のチャネルの品質が切換に適合するかどうかを評価することをＭＳ２に通知する。本実施例において端末ＭＳ２が補助検出シグナルＳ１２、Ｓ３２をデコードすることによってＭａｃｒｏＢＳ１を切換のターゲット基地局に確定すると、端末ＭＳ２は、現行のサービス基地局ＦｅｍｔｏＢＳ２によりＭａｃｒｏ ＢＳ１の基本的な情報を取得し、切換操作を行っておく、或いは、直接にＭａｃｒｏ ＢＳ１のキャリア周波数Ｆ１をスキャンしてＭａｃｒｏ ＢＳ１の基本的な情報を取得して、切換操作を始動することができる。
【０１４９】
実施例７
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４がいずれもＦｃによって情報を送信することができる。
【０１５０】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０１５１】
本実施例において、上層ネットワーク要素は、相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１１に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルがであって、Ｓ１ｃ、Ｓ２ｃ、Ｓ３ｃ及びＳ４ｃがそれぞれ一組のパイロットシーケンスであって、Ｓ１ｃ、Ｓ２ｃ、Ｓ３ｃ及びＳ４ｃが同じスロットＴｃを占有して、またＳ１ｃ、Ｓ２ｃ、Ｓ３ｃ及びＳ４ｃが互いに直交する。
【０１５２】
基地局が異なる共有キャリア周波数で補助検出シグナルを送信することが占有したスロットリソースＴｃは、同じでもいいし、異なってもいい。
【０１５３】
本実施例において、Ｍａｃｒｏ ＢＳ１は、相応のシグナルによりＦｃキャリア周波数におけるスロットＴｃをスキャンし、補助検出シグナルをデコードし、パイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助検出シグナルＳ２ｃ、Ｓ３ｃ及びＳ４ｃをデコードするで、ＦｅｍｔｏＢＳ２を切換のターゲット基地局に確定すると、端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１５４】
実施例８
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃによって情報を送信することができる。
【０１５５】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０１５６】
本実施例において、上層ネットワーク要素は、相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１２に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、Ｓ１ｃ、Ｓ２ｃ、Ｓ３ｃ及びＳ４ｃがそれぞれ一組のパイロットシーケンスであって、また、Ｓ１ｃ、Ｓ２ｃ、Ｓ３ｃ及びＳ４ｃがそれぞれ異なるスロットＴ１、Ｔ２、Ｔ３及びＴ４を占有する。
【０１５７】
基地局が異なる共有キャリア周波数で送信した補助検出シグナルが占有したスロットリソースは、同じでもいいし、異なってもいい。
【０１５８】
本実施例において、Ｍａｃｒｏ ＢＳ１は、相応のシグナルによりＦｃキャリア周波数におけるスロットＴ２、Ｔ３及びＴ４をスキャンして、補助検出シグナルをデコードして、パイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助切換シグナルＳ２ｃ、Ｓ３ｃ及びＳ４ｃをデコードすることによってＦｅｍｔｏＢＳ２を切換のターゲット基地局に確定すると、端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１５９】
実施例９
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃで情報を送信することができる。
【０１６０】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０１６１】
本実施例において、上層ネットワーク要素は、相応のシグナルにより、ＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１３に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、Ｓ１ｃ、Ｓ２ｃ、Ｓ３ｃ及びＳ４ｃが同じスロットＴｃを占有して、また、Ｓ１ｃ、Ｓ２ｃ、Ｓ３ｃ及びＳ４ｃがそれぞれ事前に確定された一組の直交又は準直交コードサブシーケンスにおける一つのコードサブシーケンスである。
【０１６２】
基地局が異なる共有キャリア周波数で送信した補助検出シグナルが占有したスロットリソースは、同じでもいいし、異なってもいい。
【０１６３】
本実施例において、Ｍａｃｒｏ ＢＳ１は、相応のシグナルによりＦｃキャリア周波数におけるスロットＴｃをスキャンして、補助検出シグナルをデコードすることによって、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助検出シグナルＳ２ｃ、Ｓ３ｃ及びＳ４ｃをデコードすることによって、ＦｅｍｔｏＢＳ２を切換のターゲット基地局に確定すると、端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１６４】
実施例１０
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。Ｆｃ１が一つの共有のキャリア周波数リソースで、Ｍａｃｒｏ ＢＳ１、Ｆｅｍｔｏ ＢＳ２は、Ｆｃ１で情報を送信することができ、Ｆｃ２が他の一つの共有のキャリア周波数リソースで、ＦｅｍｔｏＢＳ３とＦｅｍｔｏ ＢＳ４は、Ｆｃ２で情報を送信することができる。
【０１６５】
本実施例において、Ｍａｃｒｏ ＢＳ１、Ｆｅｍｔｏ ＢＳ２がキャリア周波数Ｆｃ１の適当なリソースブロックで補助検出シグナルを送信し、ＦｅｍｔｏＢＳ３とＦｅｍｔｏ ＢＳ４がキャリア周波数Ｆｃ２の適当なリソースブロックで補助検出シグナルを送信する。
【０１６６】
本実施例において、上層ネットワーク要素は、相応のシグナルによりＭａｃｒｏＢＳ１、Ｆｅｍｔｏ ＢＳ２がキャリア周波数Ｆｃ１で補助検出シグナルを送信するリソースブロックの位置情報、及びＦｅｍｔｏ ＢＳ３、Ｆｅｍｔｏ ＢＳ４がキャリア周波数Ｆｃで補助検出シグナルを送信するリソースブロックの位置情報を通知して、図１４に示すように、Ｓ１ｃ１、Ｓ２ｃ１、Ｓ３ｃ２及びＳ４ｃ２が、それぞれＭａｃｒｏＢＳ１、Ｆｅｍｔｏ ＢＳ２、Ｆｅｍｔｏ ＢＳ３、Ｆｅｍｔｏ ＢＳ４が送信した補助検出シグナルである。Ｓ１ｃ１、Ｓ２ｃ１、Ｓ３ｃ２及びＳ４ｃ２がそれぞれ一組のパイロットシーケンスであって、Ｓ１ｃ１、Ｓ２ｃ１が同じスロットＴｃ１を占有して、またＳ１ｃ１、Ｓ２ｃ１が互いに直交して、Ｓ３ｃ２とＳ４ｃ２が同じスロットＴｃ２を占有して、またＳ３ｃ２、Ｓ３ｃ２が互いに直交する。
【０１６７】
基地局が異なる共有キャリア周波数で送信した補助検出シグナルが占有したスロットリソースは、同じでもいいし、異なってもいい。
【０１６８】
本実施例において、Ｍａｃｒｏ ＢＳ１は、相応のシグナルによりそれぞれＦｃ１キャリア周波数におけるスロットＴｃ１とＦｃ２キャリア周波数におけるスロットＴｃ２をスキャンして、補助検出シグナルをデコードして、パイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助検出シグナルＳ２ｃ１、Ｓ３ｃ２及びＳ４ｃ２をデコードすることによって、ＦｅｍｔｏＢＳ２を切換のターゲット基地局に確定すると、端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１６９】
実施例１１
本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、図３に示すように、端末ＭＳ１のサービス基地局がＭａｃｒｏ ＢＳ１である。Ｆｃ１が一つの共有のキャリア周波数リソースで、Ｍａｃｒｏ ＢＳ１、Ｆｅｍｔｏ ＢＳ２は、Ｆｃ１で情報を送信することができて、Ｆｃ２がもう一つの共有のキャリア周波数リソースで、ＦｅｍｔｏＢＳ３とＦｅｍｔｏ ＢＳ４は、Ｆｃ２で情報を送信することができる。
【０１７０】
本実施例において、Ｍａｃｒｏ ＢＳ１、Ｆｅｍｔｏ ＢＳ２がキャリア周波数Ｆｃ１の適当なリソースブロックで補助検出シグナルを送信し、ＦｅｍｔｏＢＳ３とＦｅｍｔｏ ＢＳ４がキャリア周波数Ｆｃ２の適当なリソースブロックで補助検出シグナルを送信する。
【０１７１】
本実施例において、上層ネットワーク要素は、相応のシグナルによりＭａｃｒｏＢＳ１、Ｆｅｍｔｏ ＢＳ２がキャリア周波数Ｆｃ１で補助検出シグナルを送信するリソースブロックの位置情報、及びＦｅｍｔｏ ＢＳ３、Ｆｅｍｔｏ ＢＳ４がキャリア周波数Ｆｃで補助検出シグナルを送信するリソースブロックの位置情報を通知して、図１５に示すように、Ｓ１ｃ１、Ｓ２ｃ１、Ｓ３ｃ２及びＳ４ｃ２が、それぞれＭａｃｒｏＢＳ１、Ｆｅｍｔｏ ＢＳ２、Ｆｅｍｔｏ ＢＳ３、Ｆｅｍｔｏ ＢＳ４が送信した補助検出シグナルである。Ｓ１ｃ１、Ｓ２ｃ１、Ｓ３ｃ２及びＳ４ｃ２がそれぞれ一組のパイロットシーケンスであって、Ｓ１ｃ１、Ｓ２ｃ１がそれぞれ異なるスロットＴ１ｃ１とＴ２ｃ１を占有して、Ｓ３ｃ２とＳ４ｃ２がそれぞれ異なるスロットＴ３ｃ２とＴ４ｃ２を占有する。
【０１７２】
基地局が異なる共有キャリア周波数で送信した補助検出シグナルが占有したスロットリソースは、同じでもいいし、異なってもいい。
【０１７３】
本実施例において、Ｍａｃｒｏ ＢＳ１は、相応のシグナルによりそれぞれＦｃ１キャリア周波数におけるスロットＴ１ｃ１、Ｔ２ｃ１及びＦｃ２キャリア周波数におけるスロットＴ３ｃ２、Ｔ４ｃ２をスキャンして、補助検出シグナルをデコードして、パイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価することをＭＳ１に通知する。本実施例において端末ＭＳ１が補助検出シグナルＳ２ｃ１、Ｓ３ｃ２及びＳ４ｃ２をデコードすることによって、ＦｅｍｔｏＢＳ２を切換のターゲット基地局に確定すると、端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１７４】
実施例１２
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。Ｆｃ１が一つの共有のキャリア周波数リソースで、Ｍａｃｒｏ ＢＳ１、Ｆｅｍｔｏ ＢＳ２は、Ｆｃ１で情報を送信することができて、Ｆｃ２がもう一つの共有のキャリア周波数リソースで、ＦｅｍｔｏＢＳ３とＦｅｍｔｏ ＢＳ４は、Ｆｃ２で情報を送信することができる。
【０１７５】
本実施例において、Ｍａｃｒｏ ＢＳ１、Ｆｅｍｔｏ ＢＳ２がキャリア周波数Ｆｃ１の適当なリソースブロックで補助検出シグナルを送信し、ＦｅｍｔｏＢＳ３とＦｅｍｔｏ ＢＳ４がキャリア周波数Ｆｃ２の適当なリソースブロックで補助検出シグナルを送信する。
【０１７６】
本実施例において、上層ネットワーク要素は、相応のシグナルによりＭａｃｒｏＢＳ１、Ｆｅｍｔｏ ＢＳ２がキャリア周波数Ｆｃ１で補助検出シグナルを送信するリソースブロックの位置情報、及びＦｅｍｔｏ ＢＳ３、Ｆｅｍｔｏ ＢＳ４がキャリア周波数Ｆｃで補助検出シグナルを送信するリソースブロックの位置情報を通知して、図１６に示すように、Ｓ１ｃ１、Ｓ２ｃ１、Ｓ３ｃ２及びＳ４ｃ２が、それぞれＭａｃｒｏＢＳ１、Ｆｅｍｔｏ ＢＳ２、Ｆｅｍｔｏ ＢＳ３、Ｆｅｍｔｏ ＢＳ４が送信した補助検出シグナルである。Ｓ１ｃ１、Ｓ２ｃ１、Ｓ３ｃ２及びＳ４ｃ２がそれぞれ事前に確定された一組の直交又は準直交コードサブシーケンスにおける一つのコードサブシーケンスである。Ｓ１ｃ１、Ｓ２ｃ１が同じスロットＴｃ１を占有して、Ｓ３ｃ２とＳ４ｃ２が同じスロットＴｃ２を占有する。
【０１７７】
基地局が異なる共有キャリア周波数で送信した補助検出シグナルが占有したスロットリソースは、同じでもいいし、異なってもいい。
【０１７８】
本実施例において、Ｍａｃｒｏ ＢＳ１は、相応のシグナルによりそれぞれＦｃ１キャリア周波数におけるスロットＴｃ１及びＦｃ２キャリア周波数におけるスロットＴｃ２をスキャンして、補助検出シグナルをデコードして、ＦｅｍｔｏＢＳ２、Ｆｅｍｔｏ ＢＳ３とＦｅｍｔｏ ＢＳ４のチャネルの品質が切換に適合するかどうかを評価することをＭＳ１に通知して。本実施例において端末ＭＳ１が補助検出シグナルＳ２ｃ１、Ｓ３ｃ２及びＳ４ｃ２をデコードすることによって、ＦｅｍｔｏＢＳ２を切換のターゲット基地局に確定すると、端末ＭＳ１は、現行のサービス基地局ＭａｃｒｏＢＳ１によりＦｅｍｔｏ ＢＳ２の基本的な情報を取得し、切換操作を行っておく、或いは、直接にＦｅｍｔｏ ＢＳ２のキャリア周波数Ｆ２をスキャンしてＦｅｍｔｏ ＢＳ２の基本的な情報を取得して、切換操作を始動することができる。
【０１７９】
実施例１３
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。
【０１８０】
本実施例において、Ｍａｃｒｏ ＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０１８１】
本実施例において、Ｍａｃｒｏ ＢＳ１のキャリア周波数Ｆ１を例にして、図１７が本実施例における補助検出シグナルの送信と受信の具体的なフローチャートであって、図１７に示すように、本実施例において、補助検出シグナルの送信と受信方法は、主に下記のステップを含める。
【０１８２】
ステップ７０１、Ｍａｃｒｏ ＢＳ１は、ｂａｃｋｈａｕｌによりＦｅｍｔｏ ＢＳ２、Ｆｅｍｔｏ ＢＳ３及びＦｅｍｔｏＢＳ４がキャリア周波数Ｆ１で補助検出シグナルを送信するリソースブロックの位置情報を通知して、図４に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、Ｓ２１、Ｓ３１及びＳ４１がそれぞれ一組のパイロットシーケンスであって、Ｓ２１、Ｓ３１及びＳ４１が同じスロットＴ１を占有して、またＳ２１、Ｓ３１及びＳ４１が互いに直交する。
【０１８３】
Ｆｅｍｔｏ ＢＳ２における他の基地局が補助検出シグナルを送信することが占有したスロットがＴ２であって、ＦｅｍｔｏＢＳ３における他の基地局が補助検出シグナルを送信することが占有したスロットがＴ３であって、ＦｅｍｔｏＢＳ４における他の基地局が補助検出シグナルを送信することが占有したスロットがＴ４であって、Ｔ１、Ｔ２、Ｔ３及びＴ４が同じでもいいし、異なってもいい。
【０１８４】
ステップ７０３、Ｍａｃｒｏ ＢＳ１は、ブロードキャストチャネルにより関連シグナルを送信してＦ１キャリア周波数で送信された補助検出シグナルが占有した時間周波数リソースブロック位置情報を本基地局に所属する端末へ通知する。
【０１８５】
ステップ７０５、Ｆｅｍｔｏ ＢＳ２、Ｆｅｍｔｏ ＢＳ３及びＦｅｍｔｏＢＳ４は、キャリア周波数Ｆ１で補助検出シグナルを送信する。
【０１８６】
ステップ７０７、ＭＳ１は、Ｆ１キャリア周波数におけるスロットＴ１をスキャンして、補助検出シグナルＳ２１、Ｓ３１及びＳ４１をデコードして、取得されたパイロット情報によってチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価する。
【０１８７】
ステップ７０９、端末ＭＳ１は、補助検出シグナルＳ２１、Ｓ３１及びＳ４１をデコードすることによって、ＦｅｍｔｏＢＳ２を切換のターゲット基地局に確定して、現行のサービス基地局Ｍａｃｒｏ ＢＳ１へ切換リクエスト情報を送信する。
【０１８８】
ステップ７１１、切換リクエスト情報を受信した後で、ＭａｃｒｏＢＳ１は、Ｆｅｍｔｏ ＢＳ２の基本的な情報を端末ＭＳ１へ送信する。
【０１８９】
ステップ７１３、ＭＳ１は、受信されたＦｅｍｔｏＢＳ２の基本的な情報によって切換操作を始動する。
【０１９０】
実施例１４
図１８に示すように、本実施例において、一つの無線通信システムで、ＦｅｍｔｏＢＳ１が使用したキャリア周波数がＦ１であって 、Ｆｅｍｔｏ ＢＳ２が使用したキャリア周波数がＦ２であって、ＦｅｍｔｏＢＳ３が使用したキャリア周波数がＦ３であって、Ｆｅｍｔｏ ＢＳ４が使用したキャリア周波数がＦ４であって、端末ＭＳ１のサービス基地局がＦｅｍｔｏ ＢＳ１である。
【０１９１】
本実施例において、Ｆｅｍｔｏ ＢＳ１が、Ｆ２、Ｆ３、Ｆ４キャリア周波数適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０１９２】
本実施例において、Ｆｅｍｔｏ ＢＳ１的キャリア周波数Ｆ１を例にして、図１７が本実施例における補助検出シグナルの送信と受信の具体的なフローチャートであって、図１７に示すように、本実施例における補助検出シグナルの送信と受信方法は、主に下記のステップを含める。
【０１９３】
ステップ９０１、上層ネットワーク要素は、相応のシグナルによりＦｅｍｔｏＢＳ２、Ｆｅｍｔｏ ＢＳ３及びＦｅｍｔｏ ＢＳ４がキャリア周波数Ｆ１で補助検出シグナルを送信するリソースブロックの位置情報を通知する。
【０１９４】
図４に示すように、Ｓ２１、Ｓ３１及びＳ４１は、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、Ｓ２１、Ｓ３１及びＳ４１がそれぞれ一組のパイロットシーケンスであって、Ｓ２１、Ｓ３１及びＳ４１が同じスロットＴ１を占有して、またＳ２１、Ｓ３１及びＳ４１が互いに直交する。
【０１９５】
Ｆｅｍｔｏ ＢＳ２における他の基地局が補助検出シグナルを送信することが占有したスロットがＴ２であって、ＦｅｍｔｏＢＳ３における他の基地局が補助検出シグナルを送信することが占有したスロットがＴ３であって、ＦｅｍｔｏＢＳ４における他の基地局が補助検出シグナルを送信することが占有したスロットがＴ４であって、Ｔ１、Ｔ２、Ｔ３及びＴ４が同じでもいいし、異なってもいい。
【０１９６】
ステップ９０３、Ｆｅｍｔｏ ＢＳ１は、ブロードキャストチャネルにより関連シグナルを送信して、Ｆ１キャリア周波数で送信された補助検出シグナルが占用した時間周波数リソースブロック位置情報を本基地局に所属する端末へ通知する。
【０１９７】
ステップ９０５、Ｆｅｍｔｏ ＢＳ２、Ｆｅｍｔｏ ＢＳ３及びＦｅｍｔｏＢＳ４は、キャリア周波数Ｆ１で補助検出シグナルを送信する。
【０１９８】
ステップ９０７、ＭＳ１は、Ｆ１キャリア周波数におけるスロットＴ１をスキャンして、補助検出シグナルＳ２１、Ｓ３１及びＳ４１をデコードする。
【０１９９】
ステップ９０９、ＭＳ１は、取得されたパイロット情報によりチャネルの推定を行って、ＦｅｍｔｏＢＳ２、Ｆｅｍｔｏ ＢＳ３及びＦｅｍｔｏ ＢＳ４のチャネルの品質が切換に適合するかどうかを評価して、端末ＭＳ１が補助検出シグナルＳ２１、Ｓ３１及びＳ４１をデコードすることによって、ＦｅｍｔｏＢＳ２を切換のターゲット基地局に確定して、また現行のサービス基地局ＦｅｍｔｏＢＳ１へ切換リクエスト情報を送信する。
【０２００】
ステップ９１１、Ｆｅｍｔｏ ＢＳ１は、Ｆｅｍｔｏ ＢＳ２の基本的な情報をＭＳ１へ送信する。
【０２０１】
ステップ９１３、ＭＳ１は、受信されたＦｅｍｔｏＢＳ２の基本的な情報によって切換操作を始動する。
【０２０２】
実施例１５
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＭａｃｒｏ ＢＳ１である。
【０２０３】
当該無線通信システムにおいて、ＭａｃｒｏＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信して、ＦｅｍｔｏＢＳ３がＦ１、Ｆ２、Ｆ４キャリア周波数の適当なリソースブロックで補助検出シグナルを送信して、ＦｅｍｔｏＢＳ４がＦ１、Ｆ２、Ｆ３キャリア周波数の適当なリソースブロックで補助検出シグナルを送信する。
【０２０４】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図４に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、また異なる時間周波数リソースブロックを占有する。Ｓ２１、Ｓ３１及びＳ４１は、それぞれＦｅｍｔｏＢＳ２、Ｆｅｍｔｏ ＢＳ３、Ｆｅｍｔｏ ＢＳ４がより多い新しい端末のアクセスを許可するかどうかの指示情報を含める。本実施例において、1ビット「１」で相応の基地局が新しい端末のアクセスを許可することを示し、1ビット「０」で相応の基地局が新しい端末のアクセスを許可しないことを示す。本実施例において、ＦｅｍｔｏＢＳ２、Ｆｅｍｔｏ ＢＳ３が新しい端末のアクセスを許可すると、補助検出シグナルＳ２１、Ｓ３１の相応のビット桁が「１」であって、Ｆｅｍｔｏ ＢＳ４が新しい端末のアクセスを許可しないと、補助検出シグナルＳ４１の相応のビット桁が「０」である。
【０２０５】
本実施例において、Ｍａｃｒｏ ＢＳ１が相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報をＭＳ１へ通知すると、端末ＭＳ１は、補助検出シグナルをデコードして、ＦｅｍｔｏＢＳ２、Ｆｅｍｔｏ ＢＳ３をアクセス可能のターゲット基地局に確定する。端末ＭＳ１は、現行のサービス基地局Ｍａｃｒｏ ＢＳ１によりＦｅｍｔｏ ＢＳ２、ＦｅｍｔｏＢＳ３の基本的な情報を取得することができる。
【０２０６】
実施例１６
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。
【０２０７】
当該無線通信システムにおいて、ＭａｃｒｏＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０２０８】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図４に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、また異なる時間周波数リソースブロックを占有する。Ｓ２１、Ｓ３１及びＳ４１は、それぞれＦｅｍｔｏＢＳ２、Ｆｅｍｔｏ ＢＳ３、Ｆｅｍｔｏ ＢＳ４のインデックス番号及びより多い新しい端末のアクセスを許可するかどうかの指示情報を含める。本実施例において、ＦｅｍｔｏＢＳ２、Ｆｅｍｔｏ ＢＳ３、Ｆｅｍｔｏ ＢＳ４のインデックス番号は、それぞれ「０１」「１０」「１１」であって、また1ビット「１」で相応の基地局が新しい端末のアクセスを許可することを示し、1ビット「０」で相応の基地局が新しい端末のアクセスを許可しないことを示す。本実施例において、ＦｅｍｔｏＢＳ２、Ｆｅｍｔｏ ＢＳ３が新しい端末のアクセスを許可すると、補助検出シグナルＳ２１、Ｓ３１における相応のビット桁が「１」であって、Ｆｅｍｔｏ ＢＳ４が新しい端末のアクセスを許可しないと、補助検出シグナルＳ４１の相応なビット桁が「０」であって、即ち、Ｓ２１、Ｓ３１及びＳ４１がそれぞれ「０１１」、「１０ １」、「１１０」である。
【０２０９】
本実施例において、Ｍａｃｒｏ ＢＳ１が相応のシグナルにより補助検出シグナル送信の時間周波数リソースブロックの位置情報をＭＳ１へ通知すると、端末ＭＳ１は、補助検出シグナルをデコードして、基地局インデックス番が「０１」「１０」であるターゲット基地局をアクセス可能の基地局に確定する。端末ＭＳ１は、現行のサービス基地局ＭａｃｒｏＢＳ１によりインデックス番号が「０１」、「１０」である基地局の基本的な情報、即ち、ＦｅｍｔｏＢＳ２、Ｆｅｍｔｏ ＢＳ３の基本的な情報を取得することができる。
【０２１０】
実施例１７
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。
【０２１１】
当該無線通信システムにおいて、ＭａｃｒｏＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０２１２】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図４に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、また異なる時間周波数リソースブロックを占有する。Ｓ２１、Ｓ３１及びＳ４１は、それぞれＦｅｍｔｏＢＳ２、Ｆｅｍｔｏ ＢＳ３、Ｆｅｍｔｏ ＢＳ４がより多い新しい端末のアクセスを許可するかどうかの指示情報及びアクセス端末のタイプを制限する指示情報を含める。本実施例において、1ビット「１」で相応の基地局が新しい端末のアクセスを許可することを示し、1ビット「０」で相応の基地局が新しい端末のアクセスを許可しないことを示す。ＦｅｍｔｏＢＳ２、Ｆｅｍｔｏ ＢＳ３が新しい端末のアクセスを許可すると、補助検出シグナルＳ２１、Ｓ３１の相応のビット桁が「１」であって、Ｆｅｍｔｏ ＢＳ４が新しい端末のアクセスを許可しないと、補助検出シグナルＳ４１の相応のビット桁が「０」である。本実施例において、ビット「１１」で相応の基地局がアクセス端末に対して制限条件があることを示し、ビット「００」で相応の基地局がアクセス端末に対して制限条件がないことを示して、ＦｅｍｔｏＢＳ２、Ｆｅｍｔｏ ＢＳ４がアクセス端末に対して制限条件がないと、補助検出シグナルＳ２１、Ｓ４１の相応のビット桁が「００」であって、Ｆｅｍｔｏ ＢＳ３がアクセス端末に対して制限条件があると、補助検出シグナルＳ３１の相応のビット桁が「１１」であって、またアクセス許可をつける端末グループ識別子が「０１０１」である。
【０２１３】
本実施例において、Ｍａｃｒｏ ＢＳ１が、相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報をＭＳ１へ通知すると、端末ＭＳ１は、補助検出シグナルをデコードして、まずＦｅｍｔｏＢＳ２、Ｆｅｍｔｏ ＢＳ３をアクセス可能のターゲット基地局に確定して、後にＦｅｍｔｏ ＢＳ２がアクセス端末に対して制限条件がないことに確定して、しかもＦｅｍｔｏＢＳ４がアクセス端末に対して制限条件があってまた端末グループの識別子が「０１０１」である端末しかアクセスできない。端末ＭＳ１のグループ識別子が「０１０１」であると、ＭＳ１は、現行のサービス基地局ＭａｃｒｏＢＳ１によりＦｅｍｔｏ ＢＳ２、Ｆｅｍｔｏ ＢＳ３の基本的な情報を取得することができ、端末ＭＳ１のグループ識別子が「０１０１」ではないと、ＭＳ１は、現行のサービス基地局ＭａｃｒｏＢＳ１によりＦｅｍｔｏ ＢＳ２の基本的な情報を取得する。
【０２１４】
実施例１８
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。
【０２１５】
当該無線通信システムにおいて、ＭａｃｒｏＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０２１６】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、図６に示すように、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、また同じ時間周波数リソースブロックを占有する。Ｓ２１、Ｓ３１及びＳ４１は、それぞれＦｅｍｔｏＢＳ２、Ｆｅｍｔｏ ＢＳ３、Ｆｅｍｔｏ ＢＳ４がより多い新しい端末のアクセスを許可するかどうかの指示情報及びアクセス端末のタイプを制限する指示情報を含める。本実施例において、1ビット「１」で相応の基地局が新しい端末のアクセスを許可することを示し、1ビット「０」で相応の基地局が新しい端末のアクセスを許可しないことを示す。ＦｅｍｔｏＢＳ２、Ｆｅｍｔｏ ＢＳ３が新しい端末のアクセスを許可すると、補助検出シグナルＳ２１、Ｓ３１の相応のビット桁が「１」であって、Ｆｅｍｔｏ ＢＳ４が新しい端末のアクセスを許可しないと、補助検出シグナルＳ４１の相応のビット桁が「０」である。本実施例において、ビット「１１」で相応の基地局がアクセス端末に対して制限条件があることを示し、ビット「００」で相応の基地局がアクセス端末に対して制限条件がないことを示して、ＦｅｍｔｏＢＳ２、Ｆｅｍｔｏ ＢＳ４がアクセス端末に対して制限条件がないと、補助検出シグナルＳ２１、Ｓ４１の相応のビット桁が「００」であって、Ｆｅｍｔｏ ＢＳ３がアクセス端末に対して制限条件があると、補助検出シグナルＳ３１の相応のビット桁が「１１」であって、またアクセス許可をつける端末グループ識別子が「０１０１」である。
【０２１７】
Ｆｅｍｔｏ ＢＳ２、Ｆｅｍｔｏ ＢＳ３、ＦｅｍｔｏＢＳ４は、それぞれ一組の直交コードワードシーケンスセットにおける異なるコードワードシーケンスを採用してＳ２１、Ｓ３１及びＳ４１をスペクトラム拡散してＦ１のキャリア周波数で送信して、またＭａｃｒｏＢＳ１がすでにＦｅｍｔｏ ＢＳ２、Ｆｅｍｔｏ ＢＳ３、Ｆｅｍｔｏ ＢＳ４に採用されたコードワードシーケンスを知っていた。
【０２１８】
本実施例において、Ｍａｃｒｏ ＢＳ１が、相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報及び採用されたコードワードシーケンスをＭＳ１へ通知すると、端末ＭＳ１は、補助検出シグナルをデコードして、まずＦｅｍｔｏＢＳ２、Ｆｅｍｔｏ ＢＳ３をアクセス可能のターゲット基地局に確定して、次にＦｅｍｔｏ ＢＳ２がアクセス端末に対して制限条件がないが、ＦｅｍｔｏＢＳ４がアクセス端末に対して制限条件があって、また端末グループの識別子が「０１０１」である端末しかアクセスできないと確定する。端末ＭＳ１のグループ識別子が「０１０１」であると、ＭＳ１は、現行のサービス基地局ＭａｃｒｏＢＳ１によりＦｅｍｔｏ ＢＳ２、Ｆｅｍｔｏ ＢＳ３の基本的な情報を取得することができて、端末ＭＳ１のグループ識別子が「０１０１」ではないと、ＭＳ１は、現行のサービス基地局ＭａｃｒｏＢＳ１によりＦｅｍｔｏ ＢＳ２の基本的な情報を取得する。
【０２１９】
実施例１９
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。
【０２２０】
当該無線通信システムにおいて、ＭａｃｒｏＢＳ１がＦ２、Ｆ３、Ｆ４キャリア周波数の適当なリソースブロックで補助検出シグナルを送信し、ＦｅｍｔｏＢＳ２がＦ１、Ｆ３、Ｆ４キャリア周波数の適当なリソースブロックで補助検出シグナルを送信し、ＦｅｍｔｏＢＳ３がＦ１、Ｆ２、Ｆ４キャリア周波数の適当なリソースブロックで補助検出シグナルを送信し、ＦｅｍｔｏＢＳ４がＦ１、Ｆ２、Ｆ３キャリア周波数の適当なリソースブロックで補助検出シグナルを送信する。
【０２２１】
本実施例において、Ｍａｃｒｏ ＢＳ１のキャリア周波数Ｆ１を例にして、Ｍａｃｒｏ ＢＳ１が相応のシグナルによりＦｅｍｔｏ ＢＳ２、Ｆｅｍｔｏ ＢＳ３とＦｅｍｔｏ ＢＳ４がキャリア周波数Ｆ１で補助検出シグナルを送信するリソースブロックの位置情報を通知して、Ｓ２１、Ｓ３１及びＳ４１が、それぞれＦｅｍｔｏＢＳ２、Ｆｅｍｔｏ ＢＳ３、Ｆｅｍｔｏ ＢＳ４がキャリア周波数Ｆ１で送信した補助検出シグナルであって、Ｓ２１、Ｓ３１が同じ時間周波数リソースブロックを占有して、Ｓ４１がＳ２１、Ｓ３１と異なる時間周波数リソースブロックを占有する。Ｓ２１、Ｓ３１及びＳ４１は、それぞれＦｅｍｔｏＢＳ２、Ｆｅｍｔｏ ＢＳ３、Ｆｅｍｔｏ ＢＳ４がより多い新しい端末のアクセスを許可するかどうかの指示情報及びアクセス端末のタイプを制限する指示情報を含める。本実施例において、1ビット「１」で相応の基地局が新しい端末のアクセスを許可することを示し、1ビット「０」で相応の基地局が新しい端末のアクセスを許可しないことを示す。ＦｅｍｔｏＢＳ２、Ｆｅｍｔｏ ＢＳ３が新しい端末のアクセスを許可すると、補助検出シグナルＳ２１、Ｓ３１の相応のビット桁が「１」であって、Ｆｅｍｔｏ ＢＳ４が新しい端末のアクセスを許可しないと、補助検出シグナルＳ４１の相応のビット桁が「０」である。本実施例において、ビット「１１」で相応の基地局がアクセス端末に対して制限条件があることを示し、ビット「００」で相応の基地局がアクセス端末に対して制限条件がないことを示して、ＦｅｍｔｏＢＳ２、Ｆｅｍｔｏ ＢＳ４がアクセス端末に対して制限条件がないと、補助検出シグナルＳ２１、Ｓ４１の相応のビット桁が「００」であって、Ｆｅｍｔｏ ＢＳ３がアクセス端末に対して制限条件があると、補助検出シグナルＳ３１の相応のビット桁が「１１」であって、またアクセス許可をつける端末グループ識別子が「０１０１」である。
【０２２２】
Ｆｅｍｔｏ ＢＳ２、Ｆｅｍｔｏ ＢＳ３は、それぞれ一組の直交コードワードシーケンスセットにおける異なるコードワードシーケンスを採用して、Ｓ２１、Ｓ３をスペクトラム拡散してＦ１のキャリア周波数で送信して、またＭａｃｒｏＢＳ１がすでにＦｅｍｔｏ ＢＳ２、Ｆｅｍｔｏ ＢＳ３に採用されたコードワードシーケンスを知っていた。
【０２２３】
本実施例において、Ｍａｃｒｏ ＢＳ１が相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報及びＦｅｍｔｏ ＢＳ２、Ｆｅｍｔｏ ＢＳ３に採用されたコードワードシーケンスをＭＳ１へ通知すると、端末ＭＳ１は、補助検出シグナルをデコードして、まずＦｅｍｔｏＢＳ２、Ｆｅｍｔｏ ＢＳ３をアクセス可能のターゲット基地局に確定して、次にＦｅｍｔｏ ＢＳ２がアクセス端末に対して制限条件がないが、ＦｅｍｔｏＢＳ４がアクセス端末に対して制限条件があって、また端末グループの識別子が「０１０１」である端末しかアクセスできないと確定する。端末ＭＳ１のグループ識別子が「０１０１」であると、ＭＳ１は、現行のサービス基地局ＭａｃｒｏＢＳ１によりＦｅｍｔｏ ＢＳ２、Ｆｅｍｔｏ ＢＳ３の基本的な情報を取得することができて、端末ＭＳ１のグループ識別子が「０１０１」ではないと、ＭＳ１は、現行のサービス基地局ＭａｃｒｏＢＳ１によりＦｅｍｔｏ ＢＳ２の基本的な情報を取得する。
【０２２４】
実施例２０
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃによって情報を送信することができる。
【０２２５】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０２２６】
本実施例において、上層ネットワーク要素は、相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１１に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、また異なる時間周波数リソースブロックを占有する。Ｓ１ｃ、Ｓ２ｃ、Ｓ３ｃ及びＳ４ｃは、それぞれＭａｃｒｏＢＳ１、Ｆｅｍｔｏ ＢＳ２、Ｆｅｍｔｏ ＢＳ３、Ｆｅｍｔｏ ＢＳ４がより多い新しい端末のアクセスを許可するかどうかの指示情報を含める。本実施例において、1ビット「１」で相応の基地局が新しい端末のアクセスを許可することを示し、1ビット「０」で相応の基地局が新しい端末のアクセスを許可しないことを示す。本実施例において、ＭａｃｒｏＢＳ１、Ｆｅｍｔｏ ＢＳ２、Ｆｅｍｔｏ ＢＳ３が新しい端末のアクセスを許可すると、補助検出シグナルＳ１ｃ、Ｓ２ｃ、Ｓ３ｃの相応のビット桁が「１」であって、ＦｅｍｔｏＢＳ４が新しい端末のアクセスを許可しないと、補助検出シグナルＳ４ｃの相応のビット桁が「０」である。
【０２２７】
本実施例において、Ｍａｃｒｏ ＢＳ１が相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報をＭＳ１へ通知すると、端末ＭＳ１は、補助検出シグナルをデコードして、ＦｅｍｔｏＢＳ２、Ｆｅｍｔｏ ＢＳ３をアクセス可能のターゲット基地局に確定する。端末ＭＳ１は、現行のサービス基地局Ｍａｃｒｏ ＢＳ１によりＦｅｍｔｏ ＢＳ２、ＦｅｍｔｏＢＳ３の基本的な情報を取得することができる。
【０２２８】
実施例２１
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃによって情報を送信することができる。
【０２２９】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０２３０】
本実施例において、上層ネットワークユニットが相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１１に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、また異なる時間周波数リソースブロックを占有する。Ｓ１ｃ、Ｓ２ｃ、Ｓ３ｃ及びＳ４ｃは、それぞれＭａｃｒｏＢＳ１、Ｆｅｍｔｏ ＢＳ２、Ｆｅｍｔｏ ＢＳ３、Ｆｅｍｔｏ ＢＳ４のインデックス番号及びより多い新しい端末のアクセスを許可するかどうかの指示情報を含める。本実施例において、ＭａｃｒｏＢＳ１、Ｆｅｍｔｏ ＢＳ２、Ｆｅｍｔｏ ＢＳ３、Ｆｅｍｔｏ ＢＳ４のインデックス番号がそれぞれ「００」「０１」「１０」「１１」であって、また1ビット「１」で相応の基地局が新しい端末のアクセスを許可することを示し、1ビット「０」で相応の基地局が新しい端末のアクセスを許可しないことを示す。本実施例において、ＭａｃｒｏＢＳ１、Ｆｅｍｔｏ ＢＳ２、Ｆｅｍｔｏ ＢＳ３が新しい端末のアクセスを許可すると、補助検出シグナルＳ１ｃ、Ｓ２ｃ、Ｓ３ｃにおける相応のビット桁が「１」であって、ＦｅｍｔｏＢＳ４が新しい端末のアクセスを許可しないと、補助検出シグナルＳ４ｃの相応のビット桁が「０」であって、即ち、Ｓ１ｃ、Ｓ２ｃ、Ｓ３ｃ及びＳ４ｃがそれぞれ「００１」「０１ １」「１０１」「１１ ０」である。
【０２３１】
本実施例において、Ｍａｃｒｏ ＢＳ１が相応のシグナルにより補助検出シグナル送信の時間周波数リソースブロックの位置情報をＭＳ１へ通知すると、端末ＭＳ１は、補助検出シグナルをデコードして、基地局インデックス番号が「０１」「１０」であるターゲット基地局をアクセス可能の基地局に確定する。端末ＭＳ１は、現行のサービス基地局ＭａｃｒｏＢＳ１よりインデックス番号が「０１」、「１０」である基地局の基本的な情報、即ちＦｅｍｔｏＢＳ２、Ｆｅｍｔｏ ＢＳ３の基本的な情報を取得することができる。
【０２３２】
実施例２２
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃによって情報を送信することができる。
【０２３３】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０２３４】
本実施例において、上層ネットワーク要素は、相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１１に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、また異なる時間周波数リソースブロックを占有する。Ｓ１ｃ、Ｓ２ｃ、Ｓ３ｃ及びＳ４ｃがそれぞれＭａｃｒｏＢＳ１、Ｆｅｍｔｏ ＢＳ２、Ｆｅｍｔｏ ＢＳ３、Ｆｅｍｔｏ ＢＳ４がより多い新しい端末のアクセスを許可するかどうかの指示情報及びアクセス端末のタイプを制限する指示情報を含める。本実施例において、1ビット「１」で相応の基地局が新しい端末のアクセスを許可することを示し、1ビット「０」で相応の基地局が新しい端末のアクセスを許可しないことを示す。ＭａｃｒｏＢＳ１、Ｆｅｍｔｏ ＢＳ２、Ｆｅｍｔｏ ＢＳ３が新しい端末のアクセスを許可すると、補助検出シグナルＳ１ｃ、Ｓ２ｃ、Ｓ３ｃの相応のビット桁が「１」であって、ＦｅｍｔｏＢＳ４が新しい端末のアクセスを許可しないと、補助検出シグナルＳ４ｃの相応のビット桁が「０」である。本実施例において、ビット「１１」で相応の基地局がアクセス端末に対して制限条件があることを示し、ビット「００」で相応の基地局がアクセス端末に対して制限条件がないことを示して、ＭａｃｒｏＢＳ１、Ｆｅｍｔｏ ＢＳ２、Ｆｅｍｔｏ ＢＳ４がアクセス端末に対して制限条件がないと、補助検出シグナルＳ１ｃ、Ｓ２ｃ、Ｓ４ｃの相応のビット桁が「００」であって、ＦｅｍｔｏＢＳ３がアクセス端末に対して制限条件があると、補助検出シグナルＳ３ｃの相応のビット桁が「１１」であって、またアクセス許可をつける端末グループ識別子が「０１０１」である。
【０２３５】
本実施例において、Ｍａｃｒｏ ＢＳ１が相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報をＭＳ１へ通知すると、端末ＭＳ１は、補助検出シグナルをデコードして、まずＦｅｍｔｏＢＳ２、Ｆｅｍｔｏ ＢＳ３をアクセス可能のターゲット基地局に確定して、後にＦｅｍｔｏ ＢＳ２がアクセス端末に対して制限条件がないが、ＦｅｍｔｏＢＳ４がアクセス端末に対して制限条件があって、また端末グループの識別子が「０１０１」の端末しかアクセスできないと確定する。端末ＭＳ１のグループ識別子が「０１０１」であると、ＭＳ１は、現行のサービス基地局ＭａｃｒｏＢＳ１によりＦｅｍｔｏ ＢＳ２、Ｆｅｍｔｏ ＢＳ３の基本的な情報を取得することができて、端末ＭＳ１のグループ識別子が「０１０１」ではないと、ＭＳ１は、現行のサービス基地局ＭａｃｒｏＢＳ１によりＦｅｍｔｏ ＢＳ２の基本的な情報を取得する。
【０２３６】
実施例２３
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃによって情報を送信することができる。
【０２３７】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０２３８】
本実施例において、上層ネットワーク要素は、相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、図１１に示すように、Ｓ１ｃ、Ｓ２ｃ、Ｓ３ｃ及びＳ４ｃが、それぞれＭａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、また同じ時間周波数リソースブロックを占有する。Ｓ１ｃ、Ｓ２ｃ、Ｓ３ｃ及びＳ４ｃは、それぞれＭａｃｒｏＢＳ１、Ｆｅｍｔｏ ＢＳ２、Ｆｅｍｔｏ ＢＳ３、Ｆｅｍｔｏ ＢＳ４がより多い新しい端末のアクセスを許可するかどうかの指示情報及びアクセス端末のタイプを制限する指示情報を含める。本実施例において、1ビット「１」で相応の基地局が新しい端末のアクセスを許可することを示し、1ビット「０」で相応の基地局が新しい端末のアクセスを許可しないことを示す。ＭａｃｒｏＢＳ１、Ｆｅｍｔｏ ＢＳ２、Ｆｅｍｔｏ ＢＳ３が新しい端末のアクセスを許可すると、補助検出シグナルＳ１ｃ、Ｓ２ｃ、Ｓ３ｃの相応のビット桁が「１」であって、ＦｅｍｔｏＢＳ４が新しい端末のアクセスを許可しないと、補助検出シグナルＳ４ｃの相応のビット桁が「０」である。本実施例において、ビット「１１」で相応の基地局がアクセス端末に対して制限条件があることを示し、ビット「００」で相応の基地局がアクセス端末に対して制限条件がないことを示して、ＭａｃｒｏＢＳ１、Ｆｅｍｔｏ ＢＳ２、Ｆｅｍｔｏ ＢＳ４がアクセス端末に対して制限条件がないと、補助検出シグナルＳ１ｃ、Ｓ２ｃ、Ｓ４ｃの相応のビット桁が「００」であって、ＦｅｍｔｏＢＳ３がアクセス端末に対して制限条件があると、補助検出シグナルＳ３ｃの相応のビット桁が「１１」であって、またアクセス許可をつける端末グループ識別子が「０１０１」である。
【０２３９】
Ｍａｃｒｏ ＢＳ１、Ｆｅｍｔｏ ＢＳ２、ＦｅｍｔｏＢＳ３、Ｆｅｍｔｏ ＢＳ４は、それぞれ一組の知っていた直交コードワードシーケンスセットにおける異なるコードワードシーケンスを採用して、Ｓ１ｃ、Ｓ２ｃ、Ｓ３ｃ及びＳ４ｃをスペクトラム拡散してＦｃのキャリア周波数で送信する。 
【０２４０】
本実施例において、Ｍａｃｒｏ ＢＳ１が相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報及び採用されたコードワードシーケンスをＭＳ１へ通知すると、端末ＭＳ１は、補助検出シグナルをデコードして、まずＦｅｍｔｏＢＳ２、Ｆｅｍｔｏ ＢＳ３をアクセス可能のターゲット基地局に確定して、後にＦｅｍｔｏ ＢＳ２がアクセス端末に対して制限条件がないが、ＦｅｍｔｏＢＳ４がアクセス端末に対して制限条件があってまた端末グループの識別子が「０１０１」である端末しかアクセスできないと確定する。端末ＭＳ１のグループ識別子が「０１０１」であると、ＭＳ１は、現行のサービス基地局ＭａｃｒｏＢＳ１によりＦｅｍｔｏ ＢＳ２、Ｆｅｍｔｏ ＢＳ３の基本的な情報を取得することができて、端末ＭＳ１のグループ識別子が「０１０１」ではないと、ＭＳ１は、現行のサービス基地局ＭａｃｒｏＢＳ１によりＦｅｍｔｏ ＢＳ２の基本的な情報を取得する。
【０２４１】
実施例２４
図３に示すように、本実施例において、一つの無線通信システムにキャリア周波数Ｆ１を使用するＭａｃｒｏＢＳ１と、キャリア周波数Ｆ２を使用するＦｅｍｔｏ ＢＳ２と、キャリア周波数Ｆ３を使用するＦｅｍｔｏ ＢＳ３と、キャリア周波数Ｆ４を使用するＦｅｍｔｏ ＢＳ４が同時に存在して、端末ＭＳ１のサービス基地局がＦｅｍｔｏ ＢＳ１である。Ｆｃが一つの共有のキャリア周波数リソースで、Ｍａｃｒｏ ＢＳ１、Ｆｅｍｔｏ ＢＳ２、ＦｅｍｔｏＢＳ３及びＦｅｍｔｏ ＢＳ４は、いずれもＦｃによって情報を送信することができる。
【０２４２】
本実施例において、Ｍａｃｒｏ ＢＳ１、Ｆｅｍｔｏ ＢＳ２、ＦｅｍｔｏＢＳ３及びＦｅｍｔｏ ＢＳ４は、キャリア周波数Ｆｃの適当なリソースブロックで補助検出シグナルを送信する。
【０２４３】
本実施例において、上層ネットワーク要素は、相応のシグナルによりＭａｃｒｏＢＳ１、Ｆｅｍｔｏ ＢＳ２、Ｆｅｍｔｏ ＢＳ３及びＦｅｍｔｏ ＢＳ４がキャリア周波数Ｆｃで補助検出シグナルを送信するリソースブロックの位置情報を通知して、Ｓ１ｃ、Ｓ２ｃ、Ｓ３ｃ及びＳ４ｃが、それぞれａｃｒｏＢＳ１、Ｆｅｍｔｏ ＢＳ２、Ｆｅｍｔｏ ＢＳ３、Ｆｅｍｔｏ ＢＳ４がキャリア周波数Ｆｃで送信した補助検出シグナルであって、Ｓ１ｃ、Ｓ２ｃ、Ｓ３ｃが同じ時間周波数リソースブロックを占有して、Ｓ４ｃがＳ１ｃ、Ｓ２ｃ、Ｓ３ｃと異なる時間周波数リソースブロックを占有する。Ｓ１ｃ、Ｓ２ｃ、Ｓ３ｃ及びＳ４ｃは、それぞれＭａｃｒｏＢＳ１、Ｆｅｍｔｏ ＢＳ２、Ｆｅｍｔｏ ＢＳ３、Ｆｅｍｔｏ ＢＳ４がより多い新しい端末のアクセスを許可するかどうかの指示情報及びアクセス端末のタイプを制限する指示情報を含める。本実施例において、1ビット「１」で相応の基地局が新しい端末のアクセスを許可することを示し、1ビット「０」で相応の基地局が新しい端末のアクセスを許可しないことを示す。ＭａｃｒｏＢＳ１、Ｆｅｍｔｏ ＢＳ２、Ｆｅｍｔｏ ＢＳ３が新しい端末のアクセスを許可すると、補助検出シグナルＳ１ｃ、Ｓ２ｃ、Ｓ３ｃの相応のビット桁が「１」であって、ＦｅｍｔｏＢＳ４が新しい端末のアクセスを許可しないと、補助検出シグナルＳ４ｃの相応のビット桁が「０」である。本実施例において、ビット「１１」で相応の基地局がアクセス端末に対して制限条件があることを示し、ビット「００」で相応の基地局がアクセス端末に対して制限条件がないことを示して、ＭａｃｒｏＢＳ１、Ｆｅｍｔｏ ＢＳ２、Ｆｅｍｔｏ ＢＳ４がアクセス端末に対して制限条件がないと、補助検出シグナルＳ１ｃ、Ｓ２ｃ、Ｓ４ｃの相応のビット桁が「００」であって、ＦｅｍｔｏＢＳ３がアクセス端末に対して制限条件があると、補助検出シグナルＳ３ｃの相応のビット桁が「１１」であって、またアクセス許可をつける端末グループ識別子が「０１０１」である。
【０２４４】
Ｍａｃｒｏ ＢＳ１、Ｆｅｍｔｏ ＢＳ２、ＦｅｍｔｏＢＳ３は、それぞれ一組の知っていた直交コードワードシーケンスセットにおける異なるコードワードシーケンスを採用して、Ｓ１ｃ、Ｓ２ｃ、Ｓ３ｃをスペクトラム拡散してＦｃのキャリア周波数で送信する。
【０２４５】
本実施例において、Ｍａｃｒｏ ＢＳ１が相応のシグナルによりＦｅｍｔｏ ＢＳ２、Ｆｅｍｔｏ ＢＳ３、Ｆｅｍｔｏ ＢＳ４が補助検出シグナルを送信する時間周波数リソースブロックの位置情報及びＦｅｍｔｏ ＢＳ２、Ｆｅｍｔｏ ＢＳ３に採用されたコードワードシーケンスをＭＳ１へ通知すると、端末ＭＳ１は、補助検出シグナルをデコードして、まずＦｅｍｔｏＢＳ２、Ｆｅｍｔｏ ＢＳ３をアクセス可能のターゲット基地局に確定して、後にＦｅｍｔｏ ＢＳ２がアクセス端末に対して制限条件がないが、ＦｅｍｔｏＢＳ４がアクセス端末に対して制限条件があってまた端末グループの識別子が「０１０１」である端末しかアクセスできないと確定する。端末ＭＳ１のグループ識別子が「０１０１」であると、ＭＳ１は、現行のサービス基地局ＭａｃｒｏＢＳ１によりＦｅｍｔｏ ＢＳ２、Ｆｅｍｔｏ ＢＳ３の基本的な情報を取得することできて、端末ＭＳ１のグループ識別子が「０１０１」ではないと、ＭＳ１は、現行のサービス基地局ＭａｃｒｏＢＳ１によりＦｅｍｔｏ ＢＳ２の基本的な情報を取得する。
【０２４６】
前記のように、本発明の実施例に提供される技術方案によると、無線通信ネットワークにおける各基地局が他の基地局の稼動キャリア周波数又は共有キャリア周波数で補助検出シグナルを送信することで、ＭＳが一つのキャリア周波数を検索するだけで、各基地局から送信された補助検出シグナルを取得することができて、各基地局のチャネルの推定を実現して、チャネルの推定結果によって切換を行って、従来の技術において切り換える時に存在するシグナルオーバーヘッドがより大きい及びＭＳ検索の複雑度がより高い問題を解決して、シグナルオーバーヘッドを節約し、ＭＳ検索の複雑度を下げて、省エネルギーに有利になる。
【０２４７】
前記のものは、本発明の優先実施例だけであるが、本発明を限定することに用いられるものではなく、当業者にとっては、様々な変更と変化を実施することができる。実質及び要旨を逸脱しない範囲で、当業者が本発明に対して行った様々の修正、等同交替、改良などは、本発明の特許請求の範囲に含まれると理解すべきである。
【図１】
0005655007.tif 000002
【図２】
0005655007.tif 000003
【図３】
0005655007.tif 000004
【図４】
0005655007.tif 000005
【図５】
0005655007.tif 000006
【図６】
0005655007.tif 000007
【図７】
0005655007.tif 000008
【図８】
0005655007.tif 000009
【図９】
0005655007.tif 000010
【図１０】
0005655007.tif 000011
【図１１】
0005655007.tif 000012
【図１２】
0005655007.tif 000013
【図１３】
0005655007.tif 000014
【図１４】
0005655007.tif 000015
【図１５】
0005655007.tif 000016
【図１６】
0005655007.tif 000017
【図１７】
0005655007.tif 000018
【図１８】
0005655007.tif 000019
【図１９】
0005655007.tif 000020